(57)【要約】【課題】複数のＲＡＴをサポートするワイヤレス装置の性能改善及び／又は消費電力の減少を与えるシステム及び方法を提供する。【解決手段】第１及び第２のＲＡＴを使用して通信するように構成された単一無線を備えたＵＥ装置を動作する方法。ＵＥは、第１のＲＡＴのＣＤＲＸモードで動作を開始し、そのＣＤＲＸモードは、オンデュレーションタイマー及びインアクティビティタイマーを含む。ＵＥの単一無線がＣＤＲＸモード中に第２のＲＡＴに対して使用されることを決定する。ＵＥは、ＵＥの単一無線が第２のＲＡＴに対して使用される間に第１のＲＡＴのＣＤＲＸオンデュレーションタイマー又はインアクティビティタイマーの少なくとも一方を動作する。ＵＥの単一無線が第２のＲＡＴに対して使用される間に、第１のＲＡＴにおいて通信や監視が行われなくても、ＣＤＲＸオンデュレーションタイマー又はインアクティビティタイマーの少なくとも一方が動作する。【選択図】図６
2015171147.tif 000002
【特許請求の範囲】
【請求項１】
第１無線を備え、該第１無線が第１の無線アクセス技術（ＲＡＴ）及び第２のＲＡＴに基づき動作するように構成可能であるユーザ装置において、
第１のＲＡＴの接続不連続受信（ＣＤＲＸ）モードで動作し、該ＣＤＲＸモードは、オンデュレーションタイマー及びインアクティビティタイマーを含むものであり、
ユーザ装置の第１無線がＣＤＲＸモードの間に第１のＲＡＴではなく第２のＲＡＴに使用されることを決定し、
ユーザ装置の第１無線が第２のＲＡＴに使用される間に第１のＲＡＴのＣＤＲＸオンデュレーションタイマー又はインアクティビティタイマーの少なくとも１つを動作する、
ことを含み、ユーザ装置の第１無線が第２のＲＡＴに使用される間には、第１無線により第１のＲＡＴにおいて通信も監視も遂行されなくても、ＣＤＲＸオンデュレーションタイマー又はインアクティビティタイマーの少なくとも一方が動作するようにする方法。
【請求項２】
前記決定は、ユーザ装置の第１無線が第２のＲＡＴにおけるチューンアウェイ動作に使用されることを決定することを含む、請求項１に記載の方法。
【請求項３】
前記チューンアウェイ動作は、前記第２のＲＡＴに対するページデコーディングを遂行することを含む、請求項２に記載の方法。
【請求項４】
前記第１のＲＡＴのＣＤＲＸオンデュレーションタイマー及びインアクティビティタイマーの各々は、前記第２のＲＡＴのチューンアウェイ動作の間に動作する、請求項１に記載の方法。
【請求項５】
前記第１のＲＡＴに対するＣＤＲＸモードの複数のサイクルが前記第２のＲＡＴのチューンアウェイ動作中に遂行され、前記ユーザ装置の第１無線が前記第２のＲＡＴのチューンアウェイ動作に使用される間に、前記第１無線により前記第１のＲＡＴにおいて通信も監視も遂行されなくても、前記第１のＲＡＴに対するＣＤＲＸモードの複数のサイクルが遂行される、請求項１に記載の方法。
【請求項６】
前記オンデュレーションタイマーの時間切れに応答して前記第１のＲＡＴに関連した前記インアクティビティタイマーをスタートすることを更に含み、前記インアクティビティタイマーのスタートは、前記第１無線が前記第２のＲＡＴに使用される間に遂行される、請求項１に記載の方法。
【請求項７】
ユーザ装置は、セルラー通信を遂行するための単一無線を備え、前記第１無線は、単一無線である、請求項１に記載の方法。
【請求項８】
前記第１のＲＡＴは、ロング・ターム・エボリューション（ＬＴＥ）を含む、請求項１に記載の方法。
【請求項９】
前記第２のＲＡＴは、グローバルシステム・フォア・モバイルコミュニケーションズ（ＧＳＭ）を含む、請求項１に記載の方法。
【請求項１０】
ユーザ装置は、ＳＩＭ（加入者アイデンティティモジュール）機能を各々実施する２つのスマートカードを含み、ユーザ装置は、ＤＳＤＡ（デュアルＳＩＭデュアルアクティブ）機能を実施する、請求項１に記載の方法。
【請求項１１】
第１の無線アクセス技術（ＲＡＴ）及び第２のＲＡＴを使用して通信を行い且つ第１のＲＡＴ及び第２のＲＡＴの両方への接続を維持するように構成された第１無線と、
前記第１無線に結合された１つ以上のプロセッサと、
を備え、前記１つ以上のプロセッサ及び第１無線は、
第１のＲＡＴの接続不連続受信（ＣＤＲＸ）モードのオン期間中に第１のＲＡＴに基づいて動作を開始し、
第１無線が第２のＲＡＴのチューンアウェイ動作に使用されることを決定し、
第１のＲＡＴのＣＤＲＸオンデュレーションタイマーをスタートし、該ＣＤＲＡオンデュレーションタイマーは、第１のＲＡＴにおいて監視が行われなくてもスタートされ、
ＣＤＲＸオンデュレーションタイマーの時間切れに応答してＣＤＲＸインアクティビティタイマーをスタートし、第１のＲＡＴのＣＤＲＸオンデュレーションタイマー及びインアクティビティタイマーの各々は、第１無線が第２のＲＡＴのチューンアウェイ動作に使用される間に動作する、
ように構成されたユーザ装置。
【請求項１２】
前記チューンアウェイ動作は、第２のＲＡＴに対するページデコーディングを遂行することを含む、請求項１１に記載のユーザ装置。
【請求項１３】
第２のＲＡＴのチューンアウェイ動作中に第１のＲＡＴに対するＣＤＲＸモードの複数のサイクルが遂行され、第２のＲＡＴのチューンアウェイ動作に第１無線が使用される間に第１のＲＡＴの複数のオンデュレーションタイマー及びインアクティビティタイマーが動作される、請求項１１に記載のユーザ装置。
【請求項１４】
ユーザ装置は、セルラー通信を行うための単一無線を備え、前記第１無線は、単一無線である、請求項１１に記載のユーザ装置。
【請求項１５】
前記第１のＲＡＴは、ロング・ターム・エボリューション（ＬＴＥ）を含み、前記第２のＲＡＴは、グローバルシステム・フォア・モバイルコミュニケーションズ（ＧＳＭ）を含む、請求項１１に記載のユーザ装置。
【請求項１６】
ユーザ装置は、ＳＩＭ（加入者アイデンティティモジュール）機能を各々実施するように構成された２つのスマートカードを含み、ユーザ装置は、第１無線を使用してＤＳＤＡ（デュアルＳＩＭデュアルアクティブ）機能を実施するように構成された、請求項１１に記載のユーザ装置。
【請求項１７】
ユーザ装置により実行するためのプログラムインストラクションを記憶する非一時的なコンピュータアクセス可能なメモリ媒体において、ユーザ装置は、第１の無線アクセス技術（ＲＡＴ）及び第２のＲＡＴを使用して通信するための単一無線を備え、前記プログラムインストラクションは、
第１のＲＡＴの接続不連続受信（ＣＤＲＸ）モードのオン期間中に第１のＲＡＴに基づいて動作を開始し、
第１無線が第２のＲＡＴのチューンアウェイ動作に使用されることを決定し、
第１のＲＡＴのＣＤＲＸオンデュレーションタイマーをスタートし、該ＣＤＲＡオンデュレーションタイマーは、第１のＲＡＴにおいて監視が行われなくてもスタートされる、
ようにプロセッサにより実行される、非一時的なコンピュータアクセス可能なメモリ媒体。
【請求項１８】
前記プログラムインストラクションは、更に、ＣＤＲＸオンデュレーションタイマーの時間切れに応答してＣＤＲＸインアクティビティタイマーをスタートし、第１のＲＡＴのＣＤＲＸオンデュレーションタイマー及びインアクティビティタイマーの各々は、第１無線が第２のＲＡＴのチューンアウェイ動作に使用される間に動作するように実行される、請求項１７に記載の非一時的なコンピュータアクセス可能なメモリ媒体。
【請求項１９】
前記第２のＲＡＴのチューンアウェイ動作中に第１のＲＡＴに対するＣＤＲＸモードの複数のサイクルが遂行され、前記第２のＲＡＴのチューンアウェイ動作に第１無線が使用される間に前記第１のＲＡＴの複数のオンデュレーションタイマー及びインアクティビティタイマーが動作される、請求項１８に記載の非一時的なコンピュータアクセス可能なメモリ媒体。
【請求項２０】
ユーザ装置は、セルラー通信を遂行するための単一無線を備え、そして前記第１無線は、単一無線である、請求項１８に記載の非一時的なコンピュータアクセス可能なメモリ媒体。
【発明の詳細な説明】
【技術分野】
【０００１】
本発明は、ワイヤレス装置に関するもので、より特定すれば、複数の無線アクセス技術（ＲＡＴ）をサポートするワイヤレス装置の性能改善及び／又は消費電力の減少を与えるシステム及び方法に関する。
【背景技術】
【０００２】
ワイヤレス通信システムは、その利用が急速に成長している。更に、ワイヤレス通信技術は、音声のみの通信からインターネット及びマルチメディアコンテンツのようなデータの送信も含むように進化した。それ故、ワイヤレス通信の改善が望まれる。特に、ユーザ装置（ＵＥ）、例えば、セルラー電話のようなワイヤレス装置に存在する多量の機能は、ＵＥのバッテリ寿命に著しい負担を課する。更に、ＵＥが複数の無線アクセス技術（ＲＡＴ）をサポートするように構成される場合には、１つ以上のＲＡＴに、他のＲＡＴのチューンアウェイ(tune-away)動作等により、ある性能低下が生じる。その結果、そのようなワイヤレスＵＥ装置において電力の節約及び／又は性能改善を与える技術が望まれる。
【０００３】
既存のＲＡＴに加えて、新規で且つ改善されたセルラー無線アクセス技術（ＲＡＴ）が時々展開される。例えば、第３世代パートナーシッププロジェクト（３ＧＰＰ）によって開発されて標準化されたロング・ターム・エボリューション（ＬＴＥ）技術を実施するネットワークが現在展開されている。ＬＴＥ及び他の新規なＲＡＴは、種々の第２世代（２Ｇ）及び第３世代（３Ｇ）ＲＡＴのようなレガシーＲＡＴを利用するネットワークより高速のデータレートをしばしばサポートする。
【０００４】
しかしながら、ある展開において、ＬＴＥ及び他の新規なＲＡＴは、レガシーネットワークにより取り扱うことのできる幾つかのサービスを完全にサポートしないことがある。従って、ＬＴＥネットワークは、レガシーネットワークと重畳する領域においてしばしば共通展開され、そしてＵＥ装置は、サービス又はカバレージで要求されるときにＲＡＴ間を遷移する。例えば、ある展開において、ＬＴＥネットワークは、ボイスコールをサポートすることができない。従って、例えば、ＵＥ装置が、ボイスコールをサポートしないＬＴＥネットワークに接続されている間に、回路交換ボイスコールを受信又は発信するときには、ＵＥ装置は、他の可能性の中で、ボイスコールをサポートするＧＳＭ（登録商標）（グローバルシステム・フォア・モバイルコミュニケーションズ）ＲＡＴ、又は“１Ｘ”（コード分割多重アクセス２０００（ＣＤＭＡ２０００）１Ｘ）ＲＡＴを使用するもの、等のレガシーネットワークへ遷移することができる。
【０００５】
あるＵＥ装置は、単一無線を使用して、複数のセルラーＲＡＴの動作をサポートする。例えば、あるＵＥ装置は、単一無線を使用してＬＴＥ及びＧＳＭの両ネットワークの動作をサポートする。複数のＲＡＴに単一無線を使用すると、到来するボイスコール又は回路交換サービスに対するページメッセージ等に応答して行うネットワーク間での遷移をより複雑なものにする。加えて、複数のＲＡＴに単一無線を使用すると、幾つかの電力使用及び性能上の問題が生じる。
【０００６】
例えば、そのようなシステムでは、ＵＥは、例えば、ボイスコールのページングチャンネルを聞くため、より進歩したＲＡＴを使用する第１のネットワークから、レガシーＲＡＴを使用する第２のネットワークへ周期的にチューンすることができる。しかしながら、ＬＴＥのようなより進歩したＲＡＴから、ＧＳＭのようなレガシーＲＡＴへのそのようなチューンアウェイ動作は、ＬＴＥネットワークの消費電力を増加し、及び／又は性能を低下させる。
【発明の概要】
【発明が解決しようとする課題】
【０００７】
それ故、ＵＥ装置が単一無線を使用して複数のセルラーＲＡＴの動作をサポートするワイヤレス通信システムにおいて性能及び消費電力の改善を提供することが望まれる。
【課題を解決するための手段】
【０００８】
ここに述べる実施形態は、ユーザ装置（ＵＥ）、及びそのＵＥ装置を動作する関連方法に関する。ＵＥは、第１及び第２のＲＡＴを使用して通信するように構成された単一無線を備えている。ＵＥは、第１のＲＡＴの接続不連続受信（ＣＤＲＸ）モードで動作を開始し、そのＣＤＲＸモードは、オンデュレーション(on duration)タイマー及びインアクティビティタイマーを含む。前記方法は、ＵＥの単一無線がＣＤＲＸモード中に第２のＲＡＴに対して使用されることを決定する。ＵＥは、ＵＥの単一無線が第２のＲＡＴに対して使用される間に第１のＲＡＴのＣＤＲＸオンデュレーションタイマー又はインアクティビティタイマーの少なくとも一方を動作する。ＵＥの単一無線が第２のＲＡＴに対して使用される間に、第１のＲＡＴにおいて通信や監視が行われなくても、ＣＤＲＸオンデュレーションタイマー又はインアクティビティタイマーの少なくとも一方が動作する。
【０００９】
ここに述べる実施形態は、ユーザ装置（ＵＥ）、及びそのＵＥを動作する関連方法に関する。ＵＥは、第１の無線アクセス技術（ＲＡＴ）及び第２のＲＡＴを使用して通信するように構成された無線を備えている。ＵＥは、第１のＲＡＴに関連したスリープ時間の前に、第１のＲＡＴのスケジュールされた次のページデコーディングが初めて第２のＲＡＴのページデコーディングと衝突するかどうか決定する。更に、ＵＥは、初めて第２のＲＡＴのページデコーディングを遂行する。第１のＲＡＴの次のページデコーディングが第２のＲＡＴのページデコーディングと衝突する場合には、第１のＲＡＴの次のページデコーディングは、初めてのときは遂行されない。更に、ＵＥは、初めてのとき以降の、その後のときに、第１のＲＡＴのページデコーディングを遂行する。
【００１０】
ここに述べる実施形態は、ユーザ装置（ＵＥ）、及びそのＵＥを動作する関連方法に関する。ＵＥは、第１の無線アクセス技術（ＲＡＴ）及び第２のＲＡＴを使用して通信するように構成された無線を備えている。ＵＥは、単一無線を第２のＲＡＴに対して初めて再初期化すべきかどうかを、初めてのときより前に第１のＲＡＴにより単一無線が使用されることに基づいて決定する。第２のＲＡＴに対して単一無線を再初期化すべき場合には、ＵＥは、初めてのときより前に単一無線を再初期化する。ＵＥは、初めてのときに第２のＲＡＴを使用して通信を遂行する。
【００１１】
この概要は、ここに述べる要旨の態様を基本的に理解するために規範的実施形態の概要を記載するものである。従って、上述した特徴は、単なる例示に過ぎず、ここに述べる要旨の範囲又は精神を何ら限定するものではない。ここに述べる要旨の他の特徴、態様及び効果は、以下の詳細な説明、添付図面及び特許請求の範囲から明らかとなるであろう。
【００１２】
本発明の実施形態の以下の詳細な説明を添付図面と共に考慮したときに、本発明を良く理解することができるであろう。
【図面の簡単な説明】
【００１３】
【図１】一実施形態による規範的なユーザ装置（ＵＥ）を示す。
【図２】ＵＥが２つの異なるＲＡＴを使用して２つのベースステーションと通信する規範的なワイヤレス通信システムを示す。
【図３】一実施形態によるベースステーションの規範的なブロック図である。
【図４】一実施形態によるＵＥの規範的なブロック図である。
【図５Ａ】一実施形態によるＵＥのワイヤレス通信回路の規範的なブロック図である。
【図５Ｂ】一実施形態によるＵＥのワイヤレス通信回路の規範的なブロック図である。
【図６】第２のＲＡＴを使用して通信する間に第１のＲＡＴでＣＤＲＸを遂行するための規範的な方法を示すフローチャートである。
【図７】第１及び第２のＲＡＴに対するＤＲＸ衝突を回避するための規範的な方法を示すフローチャートである。
【図８】図７の一実施形態に対応する規範的なタイミング図である。
【図９】ＤＲＸ予想に基づき電力消費を減少する規範的な方法を示すフローチャートである。
【発明を実施するための形態】
【００１４】
本発明は種々の変更や代替的形態を受け易いが、その特定の実施形態を添付図面に一例として示して、以下に詳細に説明する。しかしながら、添付図面及びそれに対する詳細な説明は、本発明をここに開示する特定の形態に限定するものではなく、逆に、特許請求の範囲により規定された本発明の精神及び範囲に包含される全ての変更、等効物及び代替物を網羅することを意図していることを理解されたい。
【００１５】
頭字語
本開示では、次の頭字語を使用する。
３ＧＰＰ：第３世代パートナーシッププロジェクト
３ＧＰＰ２：第３世代パートナーシッププロジェクト２
ＧＳＭ：グローバルシステム・フォア・モバイルコミュニケーションズ
ＵＭＴＳ：ユニバーサルモバイルテレコミュニケーションズシステム
ＬＴＥ：ロング・ターム・エボリューション
ＲＡＴ：無線アクセス技術
ＴＸ：送信
ＲＸ：受信
【００１６】
用語
本明細書で使用される用語集は、次の通りである。
メモリ媒体：種々のタイプのメモリ装置又はストレージ装置のいずれか。「メモリ媒体」という用語は、インストール媒体、例えば、ＣＤ−ＲＯＭ、フロッピー（登録商標）ディスク、又はテープ装置；コンピュータシステムメモリ又はランダムアクセスメモリ、例えば、ＤＲＡＭ、ＤＤＲ  ＲＡＭ、ＳＲＡＭ、ＥＤＯ  ＲＡＭ、Ｒａｍｂｕｓ  ＲＡＭ、等；不揮発性メモリ、例えば、フラッシュ、磁気媒体、例えば、ハードドライブ又は光学的ストレージ；レジスタ又は他の同様のタイプのメモリ要素、等を含むことが意図される。メモリ媒体は、他のタイプのメモリ、及びその組み合わせを含む。加えて、メモリ媒体は、プログラムが実行される第１のコンピュータシステムに配置されるか、又はインターネットのようなネットワークを経て第１のコンピュータシステムに接続される第２の異なるコンピュータシステムに配置される。後者の場合には、第２のコンピュータシステムは、プログラムインストラクションを、実行のために第１のコンピュータに与える。「メモリ媒体」という用語は、異なる位置、例えば、ネットワークを経て接続された異なるコンピュータシステム、に存在する２つ以上のメモリ媒体を含む。メモリ媒体は、１つ以上のプロセッサにより実行されるプログラムインストラクション（例えば、コンピュータプログラムとして実施される）を記憶する。
【００１７】
キャリア媒体：上述したメモリ媒体、並びに物理的な送信媒体、例えば、電気、磁気又はデジタル信号のような信号を搬送するバス、ネットワーク、及び／又は他の物理的送信媒体。
【００１８】
プログラマブルハードウェア要素：プログラム可能な相互接続部を経て接続された複数のプログラム可能な機能ブロックを含む種々のハードウェア装置を備えている。例えば、ＦＰＧＡ（フィールドプログラマブルゲートアレイ）、ＰＬＤ（プログラマブルロジック装置）、ＦＰＯＡ（フィールドプログラマブルオブジェクトアレイ）、及びＣＰＬＤ（コンプレックスＰＬＤ）を含む。プログラマブル機能ブロックは、微細粒度（コンビナトリアルロジック又はルックアップテーブル）から粗い粒度（演算論理ユニット又はプロセッサコア）までの範囲である。プログラム可能なハードウェア要素は、「再構成可能なロジック」とも称される。
【００１９】
コンピュータシステム：パーソナルコンピュータシステム（ＰＣ）、メインフレームコンピュータシステム、ワークステーション、ネットワーク機器、インターネット機器、パーソナルデジタルアシスタント（ＰＤＡ）、パーソナル通信装置、スマートホン、テレビジョンシステム、グリッドコンピューティングシステム、或いは他の装置又は装置の組み合わせを含む種々のタイプのコンピューティング又は処理システムのいずれか。一般的に、「コンピュータシステム」という用語は、メモリ媒体からのインストラクションを実行する少なくとも１つのプロセッサを有する装置（又は装置の組み合わせ）を包含するように広く定義される。
【００２０】
ユーザ装置（ＵＥ）（又は「ＵＥ装置」）：移動又はポータブルであり且つワイヤレス通信を実行する種々のタイプのコンピュータシステム装置のいずれか。ＵＥ装置は、例えば、移動電話又はスマートホン（例えば、ｉＰｈｏｎｅTM、ＡｎｄｒｏｉｄTM−ベースの電話）、ポータブルゲーム機（例えば、ＮｉｎｔｅｎｄｏＤＳTM、ＰｌａｙＳｔａｔｉｏｎ  ＰｏｒｔａｂｌｅTM、Ｇａｍｅｂｏｙ  ＡｄｖａｎｃｅTM、ｉＰｈｏｎｅTM）、ラップトップ、ＰＤＡ、ポータブルインターネット装置、音楽プレーヤ、データストレージ装置、他のハンドヘルド装置、並びにウェラブル装置、例えば、腕時計、ヘッドホン、ペンダント、イヤホン、等を含む。一般的に、「ＵＥ」又は「ＵＥ装置」という用語は、ユーザにより容易に持ち運びされそしてワイヤレス通信することのできる電子、コンピューティング及び／又はテレコミュニケーション装置（又は装置の組み合わせ）を包含するように広く定義される。
【００２１】
ベースステーション：「ベースステーション」という用語は、全範囲の通常の意味を有するもので、少なくとも、固定位置にインストールされて、ワイヤレス電話システム又は無線システムの一部分として通信するのに使用されるワイヤレス通信ステーションを包含する。
【００２２】
処理要素：種々の要素又は要素の組み合わせを指す。処理要素は、例えば、ＡＳＩＣ（特定用途向け集積回路）のような回路、個々のプロセッサコアの部分又は回路、全プロセッサコア、個々のプロセッサ、フィールドプログラマブルゲートアレイ（ＦＰＧＡ）のようなプログラム可能なハードウェア装置、及び／又は複数のプロセッサを含むシステムの大きな部分を含む。
【００２３】
自動的：アクション又は動作を直接明示し又は遂行するユーザ入力なしに、コンピュータシステム（例えば、コンピュータシステムにより実行されるソフトウェア）或いは装置（例えば、回路、プログラム可能なハードウェア要素、ＡＳＩＣ、等）により遂行されるアクション又は動作を指す。従って、「自動的」という用語は、ユーザが動作を直接遂行するための入力を与えるように、ユーザにより動作が手動で遂行され又は明示されるのとは対照的である。自動的な手順は、ユーザにより与えられた入力によって開始されるが、「自動的に」遂行されるその後のアクションは、ユーザによって明示されず、即ちユーザが遂行すべき各アクションを明示して「手動」で遂行されるのではない。例えば、各フィールドを選択しそして入力明示情報を与える（例えば、情報をタイプし、チェックボックスを選択し、無線を選択し、等により）ことにより電子的フォームを埋めるユーザは、コンピュータシステムがユーザのアクションに応答してフォームを更新しなくてはならなくても、フォームを手動で埋める。フォームは、コンピュータシステムにより自動的に埋められてもよく、この場合、コンピュータシステム（例えば、コンピュータシステムで実行されるソフトウェア）は、フォームのフィールドを分析し、そしてフィールドへの返答を明示するユーザ入力なしにフォームを埋める。上述したように、ユーザは、フォームを自動的に埋めることを求めるが、フォームを実際に埋めることには関与しない（例えば、ユーザは、フィールドへの返答を手動で明示せず、それは、自動的に完成される）。本明細書は、ユーザがとったアクションに応答して自動的に遂行される動作の種々の例について述べる。
【００２４】
図１：ユーザ装置
図１は、一実施形態による規範的なユーザ装置（ＵＥ）１０６を示す。ＵＥ１０６という語は、上述した種々の装置のいずれかである。ＵＥ装置１０６は、種々の材料のいずれかで構成されるハウジング１２を備えている。ＵＥ１０６は、容量性タッチ電極を合体するタッチスクリーンであるディスプレイ１４を有する。ディスプレイ１４は、種々のディスプレイ技術のいずれかに基づく。ＵＥ１０６のハウジング１２は、種々の要素、例えば、ホームボタン１６、スピーカポート１８、及び他の要素（図示せず）、例えば、マイクロホン、データポート、及び考えられる他の種々のタイプのボタン、例えば、ボリュームボタン、リンガーボタン、等のための開口を含み又は備えている。
【００２５】
ＵＥ１０６は、複数の無線アクセス技術（ＲＡＴ）をサポートする。例えば、ＵＥ１０６は、グローバルシステム・フォア・モバイルコミュニケーションズ（ＧＳＭ）、ユニバーサルモバイルテレコミュニケーションズシステム（ＵＭＴＳ）、コード分割多重アクセス（ＣＤＭＡ）（例えば、ＣＤＭＡ２０００  １ＸＲＴＴ又は他のＣＤＭＡ無線アクセス技術）、ロング・ターム・エボリューション（ＬＴＥ）、アドバンストＬＴＥ、及び／又は他のＲＡＴ、の２つ以上のような種々のＲＡＴのいずれかを使用して通信するように構成される。例えば、ＵＥ１０６は、ＬＴＥ及びＧＳＭのような少なくとも２つの無線アクセス技術をサポートする。必要に応じて、種々の異なる又は他のＲＡＴをサポートすることもできる。
【００２６】
ＵＥ１０６は、１つ以上のアンテナを備えている。又、ＵＥ１０６は、１つ以上の送信器チェーン（ＴＸチェーン）及び１つ以上の受信器チェーン（ＲＸチェーン）の種々の組み合わせのような種々の無線構成のいずれかを含む。例えば、ＵＥ１０６は、２つ以上のＲＡＴをサポートする無線を含む。その無線は、単一ＴＸ（送信）チェーン及び単一ＲＸ（受信）チェーンを含む。或いは又、無線は、単一のＴＸチェーン及び同じ周波数で動作する２つのＲＸチェーンを含んでもよい。別の実施形態では、ＵＥ１０６は、２つ以上の無線、即ち２つ以上のＴＸ／ＲＸチェーン（２つ以上のＴＸチェーン及び２つ以上のＲＸチェーン）を備えている。
【００２７】
ここに述べる実施形態では、ＵＥ１０６は、２つ以上のＲＡＴを使用して通信する２つのアンテナを備えている。例えば、ＵＥ１０６は、単一の無線又は共有無線に結合された一対のセルラー電話アンテナを有する。それらのアンテナは、スイッチング回路及び他の高周波フロントエンド回路を使用して共有無線（共有ワイヤレス通信回路）に結合される。例えば、ＵＥ１０６は、トランシーバ又は無線に結合された第１のアンテナ、即ち送信のために送信器チェーン（ＴＸチェーン）結合され且つ受信のために第１の受信チェーン（ＲＸチェーン）に結合された第１のアンテナを有する。又、ＵＥ１０６は、第２のＲＸチェーンに結合された第２のアンテナも備えている。第１及び第２の受信チェーンは、共通の局部発振器を共有し、これは、第１及び第２の受信器チェーンの両方が同じ周波数に同調することを意味する。第１及び第２の受信器チェーンは、一次受信器チェーン（ＰＲＸ）及びダイバーシティ受信器チェーン（ＤＲＸ）と称される。
【００２８】
一実施形態において、ＰＲＸ及びＤＲＸ受信チェーンは、対として動作し、ＬＴＥのような２つ以上のＲＡＴ及びＧＳＭ又はＣＤＭＡ１ｘのような１つ以上の他のＲＡＴの間を時間多重化する。ここに述べる一次の実施形態では、ＵＥ１０６は、１つの送信器チェーン及び２つの受信器チェーン（ＰＲＸ及びＤＲＸ）を備え、その送信器チェーン及び２つの受信器チェーン（対として働く）は、ＬＴＥ及びＧＳＭのような２つ（以上）のＲＡＴ間を時間多重化する。
【００２９】
各アンテナは、例えば、６００ＭＨｚから３ＧＨｚまでといった広範囲な周波数を受信する。従って、例えば、ＰＲＸ及びＤＲＸ受信器チェーンの局部発振器は、ＬＴＥ周波数帯域のような特定の周波数に同調し、ＰＲＸ受信器チェーンは、アンテナ１からサンプルを受信し、そしてＤＲＸ受信器チェーンは、アンテナ２からサンプルを受信し、両方とも同じ周波数である（同じ局部発振器を使用しているために）。ＵＥ１０６のワイヤレス回路は、ＵＥ１０６の希望の動作モードに基づいてリアルタイムで構成される。ここに述べる規範的な実施形態では、ＵＥ１０６は、ＬＴＥ及びＧＳＭ無線アクセス技術をサポートするように構成される。
【００３０】
図２：通信システム
図２は、規範的な（及び簡単化された）ワイヤレス通信システムを示している。図２のシステムは、考えられるシステムの一例に過ぎず、実施形態は、必要に応じて、種々のシステムのいずれでも実施できることに注意されたい。
【００３１】
図示されたように、規範的なワイヤレス通信システムは、ＵＥ１０６として表わされた１つ以上のユーザ装置（ＵＥ）と送信媒体を経て通信するベースステーション１０２Ａ及び１０２Ｂを備えている。ベースステーション１０２は、ベーストランシーバステーション（ＢＴＳ）又はセルサイトであり、ＵＥ１０６とのワイヤレス通信を可能にするハードウェアを備えている。又、各ベースステーション１０２は、コアネットワーク１００とも通信するように装備される。例えば、ベースステーション１０２Ａは、コアネットワーク１００Ａに結合され、一方、ベースステーション１０２Ｂは、コアネットワーク１００Ｂに結合される。各コアネットワークが各セルラーサービスプロバイダーにより動作されてもよいし、又は複数のコアネットワーク１００Ａが同じセルラーサービスプロバイダーにより動作されてもよい。又、各コアネットワーク１００は、インターネット、公衆交換電話ネットワーク（ＰＳＴＮ）、及び／又は他のネットワークを含む１つ以上の外部ネットワーク（例えば、外部ネットワーク１０８）にも結合される。従って、ベースステーション１０２は、ＵＥ装置１０６間、及びＵＥ装置１０６とネットワーク１００Ａ、１００Ｂ及び１０８との間の通信を容易にする。
【００３２】
ベースステーション１０２及びＵＥ１０６は、ＧＳＭ、ＵＭＴＳ（ＷＣＤＭＡ（登録商標））、ＬＴＥ、ＬＴＥアドバンスト（ＬＴＥ−Ａ）、３ＧＰＰ２  ＣＤＭＡ２０００（例えば、１ｘＲＴＴ、１ｘＥＶ−ＤＯ、ＨＰＰＤ、ｅＨＲＰＤ）、ＩＥＥＥ８０２．１１（ＷＬＡＮ又はＷｉ−Ｆｉ）、ＩＥＥＥ８０２．１６（ＷｉＭＡＸ）、等の種々の無線アクセス技術（「ＲＡＴ」、ワイヤレス通信技術又はテレコミュニケーション規格とも称される）のいずれかを使用して送信媒体を経て通信するように構成される。
【００３３】
ベースステーション１０２Ａ及びコアネットワーク１００Ａは、第１のＲＡＴ（例えば、ＬＴＥ）に基づいて動作し、一方、ベースステーション１０２Ｂ及びコアネットワーク１００Ｂは、第２の（例えば、異なる）ＲＡＴ（例えば、ＧＳＭ、ＣＤＭＡ２０００又は他のレガシー又は回路交換技術）に基づいて動作する。２つのネットワークは、同じネットワークオペレータ（例えば、セルラーサービスプロバイダー又は「キャリア」）によりコントロールされるか、又は必要に応じて、異なるネットワークオペレータによりコントロールされる。更に、２つのネットワークは、互いに独立して動作されてもよいし（例えば、異なるＲＡＴに基づいて動作する場合）、或いは多少結合されて又は密接に結合されて動作されてもよい。
【００３４】
又、２つの異なるネットワークは、図２に示す規範的なネットワーク構成で示されたように、２つの異なるＲＡＴをサポートするのに使用されるが、複数のＲＡＴを具現化する他のネットワーク構成も考えられることに注意されたい。一例として、ベースステーション１０２Ａ及び１０２Ｂは、異なるＲＡＴに基づいて動作するが、同じネットワークに結合されてもよい。別の例として、異なるＲＡＴ（例えば、ＬＴＥ及びＧＳＭ、ＬＴＥ及びＣＤＭＡ２０００  １ｘＲＴＴ、及び／又はＲＡＴの他の組み合わせ）を同時にサポートできるマルチモードベースステーションは、異なるセルラー通信技術をサポートするコアネットワークに結合されてもよい。一実施形態において、ＵＥ１０６は、パケット交換技術である第１のＲＡＴ（例えば、ＬＴＥ）と、回路交換技術である第２のＲＡＴ（例えば、ＧＳＭ又は１ｘＲＴＴ）とを使用するように構成される。
【００３５】
上述したように、ＵＥ１０６は、３ＧＰＰ、３ＧＰＰ２、又は希望のセルラー規格内のもののような複数のＲＡＴを使用して通信することができる。又、ＵＥ１０６は、ＷＬＡＮ、Ｂｌｕｅｔｏｏｔｈ（登録商標）、１つ以上のグローバルナビゲーション衛星システム（ＧＮＳＳ、例えば、ＧＰＳ又はＧＬＯＮＡＳＳ）、１つ及び／又はそれ以上の移動テレビジョン放送規格（例えば、ＡＴＳＣ−Ｍ／Ｈ又はＤＶＢ−Ｈ）、等を使用して通信するように構成されてもよい。ネットワーク通信規格の他の組み合わせも考えられる。
【００３６】
従って、同じ又は異なるＲＡＴ或いはセルラー通信規格により動作するベースステーション１０２Ａ及び１０２Ｂ並びに他のベースステーションは、１つ以上の無線アクセス技術（ＲＡＴ）を経て広い地域にわたりＵＥ１０６及び同様の装置に連続的又はほぼ連続的な重畳するサービスを提供するセルのネットワークとして設けられる。
【００３７】
図３：ベースステーション
図３は、ベースステーション１０２の規範的なブロック図である。図３のベースステーションは、考えられるベースステーションの一例に過ぎないことに注意されたい。図示されたように、ベースステーション１０２は、ベースステーション１０２のためのプログラムインストラクションを実行するプロセッサ５０４を備えている。プロセッサ５０４は、メモリマネージメントユニット（ＭＭＵ）５４０にも結合され、これは、プロセッサ５０４からアドレスを受け取り、そしてそのアドレスをメモリ（例えば、メモリ５６０及びリードオンリメモリ（ＲＯＭ）５５０）内の位置或いは他の回路又は装置に変換するように構成される。
【００３８】
ベースステーション１０２は、少なくとも１つのネットワークポート５７０を備えている。このネットワークポート５７０は、電話ネットワークに結合されて、ＵＥ装置１０６のような複数の装置に、前記電話ネットワークへのアクセスを与えるように構成される。
【００３９】
ネットワークポート５７０（又は付加的なネットワークポート）は、セルラーネットワーク、例えば、セルラーサービスプロバイダーのコアネットワークに結合されてもよいし或いはそのように構成されてもよい。コアネットワークは、ＵＥ装置１０６のような複数の装置に移動関連サービス及び／又は他のサービスを提供することができる。あるケースでは、ネットワークポート５７０がコアネットワークを経て電話ネットワークに結合されてもよいし、及び／又はコアネットワークが電話ネットワークをなしてもよい（例えば、セルラーサービスプロバイダーによりサービスされる他のＵＥ装置１０６の中で）。
【００４０】
ベースステーション１０２は、少なくとも１つのアンテナ５３４を備えている。この少なくとも１つのアンテナ５３４は、ワイヤレストランシーバーとして動作するように構成され、そして無線５３０を経てＵＥ装置１０６と通信するように更に構成される。アンテナ５３４は、通信チェーン５３２を経て無線５３０と通信する。通信チェーン５３２は、受信チェーン、送信チェーン又はその両方である。無線５３０は、これに限定されないが、ＬＴＥ、ＧＳＭ、ＷＣＤＭＡ，ＣＤＭＡ２０００、等を含む種々のＲＡＴを経て通信するように構成される。
【００４１】
ベースステーション１０２のプロセッサ５０４は、例えば、メモリ媒体（例えば、非一時的コンピュータ読み取り可能なメモリ媒体）に記憶されたプログラムインストラクションを実行することにより、ここに述べる方法の一部分又は全部を具現化するように構成される。或いは又、プロセッサ５０４は、ＦＰＧＡ（フィールドプログラマブルゲートアレイ）のようなプログラム可能なハードウェア要素として、又はＡＳＩＣ（特定用途向け集積回路）として、或いはその組み合わせとして、構成されてもよい。
【００４２】
図４：ユーザ装置（ＵＥ）
図４は、ＵＥ装置１０６の簡単なブロック図である。図示されたように、ＵＥ装置１０６は、種々の目的のための部分を含むシステムオンチップ（ＳＯＣ）４００を備えている。ＳＯＣ４００は、ＵＥ１０６の種々の他の回路に結合される。例えば、ＵＥ１０６は、種々のタイプのメモリ（例えば、ＮＡＮＤフラッシュ４１０を含む）、コネクタインターフェイス４２０（例えば、コンピュータシステム、ドック、充電ステーション、等に結合するための）、ディスプレイ４６０、ＬＴＥ、ＧＳＭ、等のためのセルラー通信回路４３０、及びショートレンジワイヤレス通信回路４２９（例えば、Ｂｌｕｅｔｏｏｔｈ及びＷＬＡＮ回路）を備えている。ＵＥ１０６は、更に、１つ以上のＵＩＣＣ（ユニバーサル集積回路カード）カード３１０のようなＳＩＭ（加入者アイデンティティモジュール）機能を含む１つ以上のスマートカード３１０も備えている。セルラー通信回路４３０は、１つ以上のアンテナ、好ましくは図示された２つのアンテナ４３５及び４３６に結合される。ショートレンジワイヤレス通信回路４２９は、アンテナ４３５及び４３６の一方又は両方にも結合される（この接続は、図示を容易にするために示されていない）。
【００４３】
図示されたように、ＳＯＣ４００は、ＵＥ１０６のためのプログラムインストラクションを実行するプロセッサ４０２と、グラフィック処理を行って表示信号をディスプレイ４６０に与えるディスプレイ回路４０４とを備えている。又、プロセッサ４０２は、メモリマネージメントユニット（ＭＭＵ）４４０にも結合され、これは、プロセッサ４０２からアドレスを受け取り、そしてそのアドレスをメモリ（例えば、メモリ４０６、リードオンリメモリ（ＲＯＭ）４５０、ＮＡＮＤフラッシュメモリ４１０）内の位置、及び／又は他の回路又は装置、例えば、ディスプレイ回路４０４、セルラー通信回路４３０、ショートレンジワイヤレス通信回路４２９、コネクタＩＦ４２０、及び／又はディスプレイ４６０に変換する。ＭＭＵ４４０は、メモリ保護及びページテーブル変換又はセットアップを遂行するように構成される。ある実施形態では、ＭＭＵ４４０は、プロセッサ４０２の一部分として含まれる。
【００４４】
１つの実施形態において、上述したように、ＵＥ１０６は、１つ以上の加入者アイデンティティモジュール（ＳＩＭ）アプリケーションを実行し及び／又はさもなければＳＩＭ機能を具現化するＵＩＣＣ３１０のような少なくとも１つのスマートカード３１０を備えている。少なくとも１つのスマートカード３１０は、単一のスマートカード３１０に過ぎず、又はＵＥ１０６は、２つ以上のスマートカード３１０を備えている。各スマートカード３１０は、ＵＥ１０６に埋め込まれ、例えば、ＵＥ１０６の回路板に半田付けされてもよく、或いは各スマートカード３１０は、除去可能なスマートカードとして具現化されてもよい。従って、スマートカード３１０は、１つ以上の除去可能なスマートカード（例えば、「ＳＩＭ」カードとも称されるＵＩＣＣカード）でもよいし、及び／又はスマートカード３１０は、１つ以上の埋設カード（例えば、「ｅＳＩＭ」又は「ｅＳＩＭカード」とも称される埋設型ＵＩＣＣ（ｅＵＩＣＣ））でもよい。ある実施形態では（例えば、スマートカード３１０がｅＵＩＣＣを含むときには）、スマートカード３１０の１つ以上が、埋設型ＳＩＭ（ｅＳＩＭ）機能を具現化し、そのような実施形態では、スマートカード３１０の１つが複数のＳＩＭアプリケーションを実行する。スマートカード３１０は、各々、プロセッサ及びメモリのようなコンポーネントを含み、ＳＩＭ／ｅＳＩＭ機能を遂行するためのインストラクションは、メモリに記憶されて、プロセッサにより実行される。１つの実施形態では、ＵＥ１０６は、必要に応じて、除去可能なスマートカード及び固定／除去不能なスマートカード（例えば、ｅＳＩＭ機能を具現化する１つ以上のｅＵＩＣＣ）を組み合わせて備えてもよい。例えば、ＵＥ１０６は、２つの埋設型カード３１０、２つの除去可能なスマートカード３１０、又は１つの埋設型スマートカード３１０及び１つの除去可能なスマートカード３１０の組み合わせを備えてもよい。他の種々のＳＩＭ構成も意図される。
【００４５】
上述したように、１つの実施形態では、ＵＥ１０６は、ＳＩＭ機能を各々具現化する２つ以上のスマートカード３１０を備えている。ＵＥ１０６に２つ以上のＳＩＭスマートカード３１０を含ませることで、ＵＥ１０６は、２つの異なる電話番号をサポートできると共に、ＵＥ１０６は、対応する２つ以上の各ネットワークにおいて通信することができる。例えば、第１のスマートカード３１０は、ＬＴＥのような第１のＲＡＴをサポートするＳＩＭ機能を含み、そして第２のスマートカード３１０は、ＧＳＭのような第２のＲＡＴをサポートするＳＩＭ機能を含む。もちろん、他の具現化及びＲＡＴも考えられる。ＵＥ１０６が２つのスマートカード３１０を含む場合には、ＵＥ１０６は、デュアルＳＩＭデュアルアクティブ（ＤＳＤＡ）機能をサポートすることができる。ＤＳＤＡ機能は、ＵＥ１０６を２つのネットワークに同時に接続できるようにする（及び２つの異なるＲＡＴを使用できるようにする）。又、ＤＳＤＡ機能は、ＵＥ１０６が各電話番号においてボイスコール又はデータトラフィックを同時に受信するのを許す。別の実施形態では、ＵＥ１０６は、デュアルＳＩＭデュアルスタンバイ（ＤＳＤＳ）機能をサポートする。このＤＳＤＳ機能は、ＵＥ１０６の２つのスマートカード３１０の各々が、ボイスコール及び／又はデータ接続を待機してスタンバイするのを許す。ＤＳＤＳでは、一方のＳＩＭ３１０にコール／データが確立されるときに、他方のＳＩＭは、もはやアクティブではない。１つの実施形態では、異なるキャリア及び／又はＲＡＴに対して複数のＳＩＭアプリケーションを実行する単一のスマートカード（例えば、ｅＵＩＣＣ）でＤＳＤｘ（ＤＳＤＡ又はＤＳＤＳのいずれかの機能）が具現化される。
【００４６】
上述したように、ＵＥ１０６は、複数の無線アクセス技術（ＲＡＴ）を使用してワイヤレス通信するように構成される。前記で更に述べたように、そのような場合には、セルラー通信回路（無線）４３０は、単一のＲＡＴに従って使用するように排他的に構成された複数のＲＡＴ及び／又は無線コンポーネント間で共有される無線コンポーネントを含む。ＵＥ１０６が少なくとも２つのアンテナを含む場合には、アンテナ４３５及び４３６は、ＭＩＭＯ（複数入力複数出力）通信を具現化するように構成可能である。
【００４７】
ここに述べるように、ＵＥ１０６は、ここに述べるような２つ以上のＲＡＴを使用して通信する特徴を具現化するためのハードウェア及びソフトウェアコンポーネントを含む。ＵＥ装置１０６のプロセッサ４０２は、例えば、メモリ媒体（例えば、非一時的コンピュータ読み取り可能なメモリ媒体）に記憶されたプログラムインストラクションを実行することにより、ここに述べる特徴の一部分又は全部を具現化するように構成される。それとは別に（又はそれに加えて）、プロセッサ４０２は、ＦＰＧＡ（フィールドプログラマブルゲートアレイ）又はＡＳＩＣ（特定用途向け集積回路）のようなプログラム可能なハードウェア要素として構成される。それとは別に（又はそれに加えて）、ＵＥ装置１０６のプロセッサ４０２は、他のコンポーネント４００、４０４、４０６、４１０、４２０、４３０、４３５、４４０、４５０、４６０の１つ以上に関連して、ここに述べる特徴の一部分又は全部を具現化するように構成される。
【００４８】
図５Ａ及び５Ｂ：ＵＥ送信／受信ロジック
図５Ａは、一実施形態によるＵＥ１０６の一部分を示す。図示されたように、ＵＥ１０６は、ＵＥ１０６のコントロールアルゴリズムを具現化するためのコントロールコードを記憶して実行するように構成されたコントロール回路４２を備えている。該コントロール回路４２は、ストレージ及び処理回路２８（例えば、マイクロプロセッサ、メモリ回路、等）を備えると共に、ベースバンドプロセッサ集積回路５８を備えている。ベースバンドプロセッサ５８は、ワイヤレス回路３４の一部分を形成し、そしてメモリ及び処理回路を含む（即ち、ベースバンドプロセッサ５８は、ＵＥ１０６のストレージ及び処理回路の一部分を形成すると考えられる）。ベースバンドプロセッサ５８は、とりわけ、ＧＳＭロジック７２及びＬＴＥロジック７４のような種々の異なるＲＡＴを取り扱うためのソフトウェア及び／又はロジックを備えている。
【００４９】
ベースバンドプロセッサ５８は、経路４８を経てストレージ及び処理回路２８（例えば、マイクロプロセッサ、不揮発性メモリ、揮発性メモリ、他のコントロール回路、等）へデータを供給する。経路４８上のデータは、ＵＥのセルラー通信及び動作に関連したローデータ及び処理済データ、例えば、セルラー通信データ、受信信号に対するワイヤレス（アンテナ）性能メトリック、チューンアウェイ動作に関連した情報、ページング動作に関連した情報、等を含む。この情報は、ストレージ及び処理回路２８及び／又はプロセッサ５８により分析され、そしてそれに応答して、ストレージ及び処理回路２８（又は、必要に応じて、ベースバンドプロセッサ５８）は、ワイヤレス回路３４をコントロールするためのコントロールコマンドを発行する。例えば、ストレージ及び処理回路２８は、経路５２及び経路５０にコントロールコマンドを発行し、及び／又はベースバンドプロセッサ５８は、経路４６及び経路５１にコマンドを発行する。
【００５０】
ワイヤレス回路３４は、高周波トランシーバ回路６０のような高周波トランシーバ回路と、高周波フロントエンド回路６２とを含む。高周波トランシーバ回路６０は、１つ以上の高周波トランシーバを備えている。ここに示す実施形態では、高周波トランシーバ回路６０は、トランシーバ（ＴＸ）チェーン５９、受信器（ＲＸ）チェーン６１及びＲＸチェーン６３を含む。上述したように、２つのＲＸチェーン６１及び６３は、一次ＲＸチェーン６１、及びダイバーシティＲＸチェーン６３である。２つのＲＸチェーン６１及び６３は、同じ局部発振器（ＬＯ）に接続され、従って、ＭＩＭＯ動作のために同じ周波数で一緒に動作する。従って、ＴＸチェーン５９と、２つのＲＸチェーン６１及び６３は、他の必要な回路と共に、単一無線と考えられる。他の実施形態も、もちろん、意図される。例えば、高周波トランシーバ回路６０が単一のＴＸチェーン及び単一のＲＸチェーンしか含まず、これも、単一無線実施形態である。従って、「無線(radio)」という用語は、その通常の受け容れられる意味の最も広い範囲を有すると定義され、そして単一ＴＸチェーン及び単一ＲＸチェーンか、或いは単一ＴＸチェーン及び例えば同じＬＯに接続された２つ（以上）のＲＸチェーンかのいずれかを含む、無線に通常見られる回路を備えるものである。無線という用語は、上述した送信及び受信チェーンを包含するもので、ワイヤレス通信の実行に関連した高周波回路（例えば、送信及び受信チェーン）に結合されたデジタル信号処理も含む。一例として、送信チェーンは、増幅器、ミクサ、フィルタ、及びデジタル／アナログコンバータのようなコンポーネントを含む。同様に、受信チェーンも、例えば、増幅器、ミクサ、フィルタ、及びアナログ／デジタルコンバータのようなコンポーネントを含む。上述したように、複数の受信チェーンがＬＯを共有するが、他の実施形態では、それらが自身のＬＯを備えてもよい。ワイヤレス通信回路は、例えば、ＵＥ（送信／受信チェーン及び／又はデジタル信号処理）、ベースバンドプロセッサ、等の１つ以上の無線を含めて、コンポーネントの大きなセットを包含する。「セルラーワイヤレス通信回路」という用語は、例えば、Ｂｌｕｅｔｏｏｔｈのような、セルラーの性質ではない他のプロトコルとは反対に、セルラー通信を遂行するための種々の回路を含む。ここに述べる本発明のある実施形態は、単一無線（即ち、単一ＴＸチェーン及び単一ＲＸチェーンをもつ無線；或いは単一ＴＸチェーン及び２つのＲＸチェーンをもち、２つのＲＸチェーンが同じＬＯに接続された無線）が複数のＲＡＴをサポートするときに性能を改善するように動作する。
【００５１】
図５Ｂに示すように、高周波トランシーバ回路６０は、２つ以上のＴＸチェーン及び２つ以上のＲＸチェーンを含む。例えば、図５Ｂは、ＴＸチェーン５９及びＲＸチェーン６１を含む第１無線５７と、第１のＴＸチェーン６５及び第２のＴＸチェーン６７を含む第１無線６３とを伴う実施形態を示す。又、図５Ａの実施形態に、図示された１つのＴＸチェーン５９及び２つのＲＸチェーン６１及び６３に加えて、付加的なＴＸ／ＲＸ受信チェーンが含まれた実施形態も意図される。複数のＴＸ及びＲＸチェーンを有するこれらの実施形態では、１つの無線しか現在アクティブでないとき、例えば、第２無線が節電のためにターンオフされたとき、ここに述べる本発明の幾つかの実施形態は、複数のＲＡＴをサポートするとき単一のアクティブな無線の性能を改善するように動作することができる。
【００５２】
ベースバンドプロセッサ５８は、ストレージ及び処理回路２８から送信されるべきデジタルデータを受け取り、そして経路４６及び高周波トランシーバ回路６０を使用して、それに対応する高周波信号を送信する。高周波フロントエンド６２は、高周波トランシーバ６０とアンテナ４０との間に結合され、そして高周波トランシーバ回路６０により発生された高周波信号をアンテナ４０へ搬送するのに使用される。高周波フロントエンド６２は、アンテナ４０と高周波トランシーバ６０との間のインターフェイスを形成する高周波スイッチ、インピーダンスマッチング回路、フィルタ、及び他の回路を含む。
【００５３】
アンテナ４０によって受信された到来する高周波信号は、高周波フロントエンド６２、経路５４及び５６のような経路、高周波トランシーバ６０の受信回路、及び経路４６のような経路を経て、ベースバンドプロセッサ５８へ供給される。経路５４は、例えば、トランシーバ５７に関連した信号を取り扱うのに使用され、一方、経路５６は、トランシーバ６３に関連した信号を取り扱うのに使用される。ベースバンドプロセッサ５８は、受信信号をデジタルデータに変換し、そのデジタルデータは、ストレージ及び処理回路２８へ送られる。又、ベースバンドプロセッサ５８は、トランシーバが現在チューニングされているチャンネルに対する信号の質を表わす情報を受信信号から抽出することもできる。例えば、コントロール回路４２内のベースバンドプロセッサ５８及び／又は他の回路は、受信信号を分析して、種々の測定値、例えば、ビットエラー率測定値、到来するワイヤレス信号に関連した電力量の測定値、強度指示子（ＲＳＳＩ）情報、受信信号コード電力（ＲＳＣＰ）情報、基準信号受信電力（ＲＳＲＰ）情報、信号対干渉比（ＳＩＮＲ）情報、信号対雑音比（ＳＮＲ）情報、Ｅｃ／Ｉｏ又はＥｃ／Ｎｏデータのような信号クオリティデータに基づくチャンネルクオリティ測定値、等を発生する。
【００５４】
高周波フロントエンド６２は、スイッチング回路を含む。そのスイッチング回路は、コントロール回路４２から受け取られるコントロール信号（例えば、ストレージ及び処理回路２８から経路５０を経て送られるコントロール信号、及び／又はベースバンドプロセッサ５８から経路５１を経て送られるコントロール信号）により構成される。スイッチング回路は、ＴＸ及びＲＸチェーンをアンテナ４０Ａ及び４０Ｂに接続するのに使用されるスイッチ（スイッチ回路）を含む。高周波トランシーバ回路６０は、ストレージ及び処理回路から経路５２を経て受信されるコントロール信号、及び／又はベースバンドプロセッサ５８から経路４６を経て受信されるコントロール信号により構成される。
【００５５】
使用するアンテナの数は、ＵＥ１０６の動作モードに依存する。例えば、図５Ａに示すように、通常のＬＴＥ動作では、アンテナ４０Ａ及び４０Ｂは、例えば、ＭＩＭＯ動作に対して受信ダイバーシティスキームを具現化するために各受信器６１及び６３と共に使用される。このタイプの構成では、ベースバンドプロセッサ５８を使用して２つのＬＴＥデータストリームが同時に受信され処理される。到来するＧＳＭページに対してＧＳＭページングチャンネルを監視することが望まれるときは、ＧＳＭページングチャンネル信号を受信するのにアンテナの一方又は両方が一時的に使用される。
【００５６】
コントロール回路４２は、２つ以上の無線アクセス技術を取り扱うためのソフトウェアを実行するのに使用される。例えば、ベースバンドプロセッサ５８は、ＧＳＭプロトコルスタック７２及びＬＴＥプロトコルスタック７４のような複数のプロトコルスタックを具現化するためのメモリ及びコントロール回路を備えている。従って、プロトコルスタック７２は、ＧＳＭ（一例として）のような第１の無線アクセス技術に関連され、そしてプロトコルスタック７４は、ＬＴＥ（一例として）のような第２の無線アクセス技術に関連している。動作中に、ＵＥ１０６は、ＧＳＭプロトコルスタック７２を使用して、ＧＳＭ機能を取り扱い、そしてＬＴＥプロトコルスタック７４を使用して、ＬＴＥ機能を取り扱う。ＵＥ１０６には、必要に応じて、付加的なプロトコルスタック、付加的なトランシーバ、付加的なアンテナ４０、及び他の付加的なハードウェア及び／又はソフトウェアが使用されてもよい。図５Ａ及び５Ｂの構成は、単なる例示に過ぎない。一実施形態において、プロトコルスタックの一方又は両方を使用して、以下のフローチャートに述べる方法が具現化される。
【００５７】
図５Ａ（又は５Ｂ）の一実施形態では、ＵＥ１０６のコスト及び複雑さは、ＬＴＥ及びＧＳＭの両トラフィックをサポートするためにベースバンドプロセッサ５８及び高周波トランシーバ回路６０が使用される構成を使用して図５Ａ（又は５Ｂ）のワイヤレス回路を具現化することにより最小とされる。
【００５８】
ＧＳＭ無線アクセス技術は、一般的に、ボイストラフィックを搬送するのに使用され、一方、ＬＴＥ無線アクセス技術は、一般的に、データトラフィックを搬送するのに使用される。ＬＴＥデータトラフィックのためにＧＳＭボイスコールが中断されないことを保証するため、ＧＳＭ動作は、ＬＴＥ動作に勝るプライオリティをとる。到来するページング信号のためのＧＳＭページングチャンネルを監視する等の動作が、ＬＴＥ動作を不必要に中断しないよう保証するため、コントロール回路４２は、可能なとき、ワイヤレスリソースがＬＴＥとＧＳＭ機能との間で共有されるようにＵＥ１０６のワイヤレス回路を構成することができる。
【００５９】
ユーザが到来するＧＳＭコールを受けるときに、ＧＳＭネットワークは、ベースステーション１０２を使用してＧＳＭページングチャンネルを経てページング信号（ページとも称される）をＵＥ１０６へ送信する。ＵＥ１０６は、到来するページを検出すると、その到来するＧＳＭコールをセットアップし及び受信するために適当なアクション（例えば、コール確立手順）をとることができる。ページは、典型的に、ネットワークにより一定の間隔で数回送信され、ＵＥ１０６のような装置がページを首尾良く受信する数回の機会をもてるようにする。
【００６０】
適切なＧＳＭページ受信は、ＵＥ１０６のワイヤレス回路がＧＳＭページングチャンネルに周期的にチューニングされることを要求し、これは、チューンアウェイ動作と称される。トランシーバ回路６０がＧＳＭページングチャンネルにチューニングし損なうか、又はベースバンドプロセッサ５８のＧＳＭプロトコルスタック７２が到来するページに対してページングチャンネルを監視し損なう場合には、ＧＳＭページを見失う。他方、ＧＳＭページングチャンネルの過剰な監視は、アクティブなＬＴＥデータセッションに悪影響を及ぼす。本発明の実施形態は、以下に述べるように、チューンアウェイ動作を取り扱うための改善された方法を含む。
【００６１】
ある実施形態では、ＵＥ１０６が節電を行うために、ＧＳＭ及びＬＴＥプロトコルスタック７２及び７４がアイドルモード動作をサポートする。又、プロトコルスタック７２及び７４の一方又は両方は、不連続受信（ＤＲＸ）モード及び／又は接続不連続受信（ＣＤＲＸ）モードをサポートする。ＤＲＸモードは、受信すべきデータ（又はボイス）がないときＵＥ回路の少なくとも一部分をパワーダウンするモードを指す。ＤＲＸ及びＣＲＤＸモードでは、ＵＥ１０６は、ベースステーション１０２と同期し、そして指定の時間又は間隔でネットワークを聴取するようにウェイクアップする。ＤＲＸは、ＵＭＴＳ、ＬＴＥ（ロング・ターム・エボリューション）、ＷｉＭＡＸ、等の多数のワイヤレス規格に存在する。「アイドルモード」、「ＤＲＸ」及び「ＣＤＲＸ」という用語は、少なくとも、通常の意味を完全に含むことが明確に意図され、そして同様のタイプのモードを将来の規格で包含することも意図される。
【００６２】
第２のＲＡＴを使用して通信する間の第１のＲＡＴのＣＤＲＸ
上述したように、ＵＥは、単一無線（例えば、単一送信チェーン及び単一受信チェーン又は２つの受信チェーンを有する）を使用し、２つの異なるＲＡＴを使用して通信を行う。例えば、ＵＥは、単一無線を使用し、第１のＲＡＴを使用して通信を行い、そして周期的にチューンアウェイを行って、ページデコーディング、測定、同期、等の、第２のＲＡＴに対する種々のアクションを遂行する。無線は、ＵＥに対する単一のセルラー無線でもよいし、又は複数のセルラー無線の１つでもよいことに注意されたい。複数無線環境では、第１のＲＡＴ及び第２のＲＡＴの時分割のためにセルラー無線の１つが使用される。更に、ＵＥは、必要に応じて、デュアルＳＩＭデュアルアクティブ（ＤＳＤＡ）及び／又はデュアルＳＩＭデュアルスタンバイ（ＤＳＤＳ）を実施する。
【００６３】
一実施形態において、第１のＲＡＴは、ＬＴＥであり、そして第２のＲＡＴは、ＧＳＭであるが、ＲＡＴの他の組み合わせも考えられる。あるケースでは、典型的に、チューンアウェイを周期的に行って、第２のＲＡＴに対する同期を遂行してもよい（例えば、第２のＲＡＴの現在ベースステーションの隣接ベースステーションに対して）。以下、第１のＲＡＴは、ＬＴＥとして説明し、第２のＲＡＴは、ＧＳＭとして説明するが、それらの説明は、いずれも、必要に応じて、他のＲＡＴに適用してもよい。
【００６４】
ＣＤＭＡ２０００  １ｘに比較して、ＧＳＭのＳＲＬＴＥは、顕著な相違がある。例えば、ＧＳＭチューンアウェイ（例えば、ページデコーディングのための）は、５．２１ｓに一度である１ｘチューンアウェイより１０倍も頻度が高い（例えば、少なくとも４７０ｍｓに一度）。更に、ほとんどのケースでは、各ＧＳＭチューンアウェイの期間は、非常に短くて、例えば、１０−２０ｍｓであるが、ほとんどのケースでは、１ｘチューンアウェイの期間は、９０−１００ミリ秒である。
【００６５】
第１のＲＡＴでの接続不連続受信（ＣＤＲＸ）の動作は、ＰＤＣＣＨの連続的なデコーディングを要求せずにＵＥが周期的にスリープするのを許す。ある実施形態、例えば、ＬＴＥ接続モードでは、タイマーベースパラメータがＲＲＣ再構成メッセージにおいてＵＥにより受け取られる。これらのパラメータは、次のものを含む。
ＤＲＸサイクル：ＵＥオン／オフ時間の１サイクルの期間（例えば、長いＤＲＸとして３２０ｍｓ）；
オンデュレーションタイマー：ＤＲＸサイクル（例えば、１０ｍｓ）の間にＵＥがＰＤＣＣＨを監視する期間；及び／又は
ＤＲＸインアクティビティタイマー：スケジューリングメッセージを受け取った後に、ＵＥは、タイマーの動作中にＰＤＣＣＨを連続的に監視する。タイマーが時間切れしたときに、ターゲットとするＰＤＣＣＨが受け取られない場合には、ＵＥは、スリープとなる（例えば、１００ｍｓ）。
【００６６】
一実施形態において、１ｘ−ＳＲＬＴＥ実施の場合に、１ｘチューンアウェイが生じると、ＣＤＲＸパラメータは、ＬＴＥへのチューンバックが生じたときにリセットされる。例えば、ＬＴＥでは、ＵＥは、そのＵＥに対する次の最も近いＣＤＲＸサブフレームオフセットからＣＤＲＸがスタートするまでアクティブなままとなる。１ｘページサイクルが５．１２ｓの長さであり、ＬＴＥの典型的なＣＤＲＸサイクルが３２０ｍｓであるから、次のＣＤＲＸスリープまでの余計なＬＴＥアクティブ時間により消費される電力は、明白に検出できない。しかしながら、ＧＳＭチューンアウェイでは、その高い頻度のために（例えば、４７０ｍｓごとに１０−２０ｍｓのチューンアウェイ）、ＧＳＭチューンアウェイがＣＤＲＸサイクル（典型的に３２０ｍｓ）中にＬＴＥアクティブ期間（例えば、オンデュレーション＋インアクティビティタイマー期間）と衝突する可能性が高くなる。上述した１ｘ−ＳＲＬＴＥ実施形態では、ＤＲＸではなくほとんどの時間ＵＥがアウェイクに留まることになる。例えば、ラボテスト結果は、ＧＳＭに対する通常のＬＴＥ  ＣＤＲＸモードよりＬＴＥ  ＣＤＲＸモードでのＳＲＬＴＥ（単一無線ＬＴＥ）に対する電力消費が８０％高いことを示している。
【００６７】
従って、ＧＳＭチューンアウェイ時間は、ＣＤＲＸオンデュレーションに合体されるか、又はインアクティビティタイマー内に含まれる。
【００６８】
例えば、サブフレームにおけるＬＴＥウェイクアップ中に、ＣＤＲＸオンデュレーションがスタートしたとき、高周波回路（例えば、単一無線）がＧＳＭにより使用される場合には、ＣＤＲＸオンデュレーションタイマーは、ＧＳＭに対して高周波回路が使用されるためにＬＴＥに対するＰＤＣＣＨが監視されなくても、通常にスタートされる。更に、このケースでは、オンデュレーションタイマーが時間切れした後に、インアクティビティタイマーが通常にスタートされる。
【００６９】
更に、ＧＳＭがチューンアウェイを完了するとき、ＣＤＲＸオンタイマー又はインアクティビティタイマーのいずれかがまだ動作している場合には、高周波回路は、ＬＴＥにチューンバックされ、そしてＰＤＣＣＨは、インアクティビティタイマーが時間切れするまで監視される。
【００７０】
別のケースでは、ＧＳＭがチューンアウェイを完了するときに、ＣＤＲＸインアクティビティタイマーが時間切れした場合、ＵＥは、次のＣＤＲＸウェイクアップまでスリープし続ける（例えば、ＬＴＥスタックは、スリープを続けねばならない）。
【００７１】
ＬＴＥがアクティブである（例えば、オンデュレーション又はインアクティビティタイマーが動作している）間にＧＳＭチューンアウェイが生じる場合には、オンタイマー及びインアクティビティタイマーは、それらが時間切れするまで、通常に動作を保つ。インアクティビティタイマーが時間切れするときに、ＲＦがＧＳＭに対してまだチューンアウェイされる場合には、ＵＥがスリープ状態になり（例えば、ＬＴＥスタックがスリープ状態になり）、そして次のＣＤＲＸオンタイムに通常にウェイクアップするようスケジュールする。
【００７２】
一実施形態では、ＧＳＭチューンアウェイがどれほど長くても、ＬＴＥ  ＣＤＲＸハンドリングは、ＧＳＭチューンアウェイ時間を、オンデュレーション及びインアクティビティタイマーの下でＰＤＣＣＨ監視時間の一部分として考える。従って、あるケースでは、ＬＴＥは、ＲＦがＧＳＭからチューンバックされるまで、複数のＣＤＲＸサイクルに入ったり出たりする。
【００７３】
上述した種々の実施形態を具現化することにより、ＬＴＥは、ＧＳＭチューンアウェイと頻繁に衝突が生じても、通常のＣＤＲＸスリープ及びウェイクアップを依然遂行することができる。その結果、ＬＴＥ  ＣＤＲＸモードでのＳＲＬＴＥ電力消費は、ＬＴＥのみのＣＤＲＸモードと対になる。更に、ＬＴＥに対するスループット利得も生じる。
【００７４】
図６：第２のＲＡＴを使用して通信する間の第１のＲＡＴでのＣＤＲＸ
図６は、第２のＲＡＴを使用して通信する間に第１のＲＡＴでＣＤＲＸを遂行する方法を示すフローチャートである。この方法は、第１のＲＡＴ及び第２のＲＡＴ（例えば、ＬＴＥ及びＧＳＭであるが、ＲＡＴの他の組み合わせも考えられる）の両方に対して第１無線を使用するＵＥ装置（例えば、ＵＥ１０６）によって遂行される。図６に示す方法は、他の装置の中でも、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【００７５】
図示されたように、６０２において、ＵＥは、第１のＲＡＴのＣＤＲＸモードで動作を開始する。上述したように、ＣＤＲＸモードは、例えば、各ＣＤＲＸサイクル中に繰り返す「オンデュレーション」タイマー及び「インアクティビティ」タイマーを含む。又、ＣＤＲＸサイクルは、例えば、インアクティビティ時間中に第１のＲＡＴの通信も監視も行われないときにＵＥが典型的にスリープする期間も、オンデュレーションタイマー及びインアクティビティタイマーの後に含む。例えば、ＣＤＲＸサイクルは、ほぼ３２０ミリ秒長さであり、オンデュレーションタイマーは、ほぼ１０ミリ秒長さであり、インアクティビティタイマーは、ほぼ１００−２００ミリ秒長さであり、そして残りの時間は、ＣＤＲＸの合計サイクルタイムから他の値を減算することにより決定される。
【００７６】
６０４において、ＵＥは、ＵＥが第１のＲＡＴのＣＤＲＸモードにある間に、第１無線を使用して第２のＲＡＴに関連した１つ以上のアクティビティを遂行し及び／又はそれと通信する。例えば、ＵＥは、第１無線を使用して、第２のＲＡＴに関連したページデコーディング、測定、同期、等を遂行する。６０４における通信は、ＣＤＲＸモードのオンデュレーションタイマー及び／又はインアクティビティタイマーの間に行われる。
【００７７】
６０６において、ＵＥは、第２のＲＡＴを使用して通信するために第１無線が使用されても第１のＲＡＴにおいてＣＤＲＸモードの動作を続ける。例えば、オンデュレーションタイマー及びインアクティビティタイマーは、通信が行われなくても（例えば、オンデュレーションタイマーに対して）及び／又は第１のＲＡＴにおいて監視が行われなくても（例えば、インアクティビティタイマーに対して）、動作を続ける。この動作は、例えば、１つ以上のタイマーを変更する。というのは、第２のＲＡＴに対して無線が使用されるからである。
【００７８】
例えば、ＣＤＲＸサイクルの始めに、ＵＥは、典型的に、オンデュレーションタイマーの間に第１のＲＡＴを使用して通信を遂行する。しかしながら、ＵＥは、このとき第２のＲＡＴを使用して通信するために第１無線を既に使用していることが考えられる。従って、ＵＥが、第１のＲＡＴに対して無線を使用して通信を遂行するのではなく第２のＲＡＴで通信するために第１無線を使用していても、ＣＤＲＸオンデュレーションタイマーは、とにかく、開始される。オンデュレーションタイマーを通して第２のＲＡＴに対して無線を使用し続ける場合には、第１無線が第２のＲＡＴに対してまだ使用されていても、インアクティビティタイマーも開始される。これは、複数のＣＤＲＸサイクル、例えば、第１のＲＡＴに関連したＣＤＲＸサイクルの複数のオンデュレーション及びインアクティビティタイマーを通していっそう拡張する。
【００７９】
第２のＲＡＴがそのプロセスを完了すると、ＵＥは、第１無線を使用して、第１のＲＡＴに関連したアクション、例えば、まだオンデュレーションタイマーにある場合には第１のＲＡＴでの通信、又はまだインアクティビティタイマーにある場合には第１のＲＡＴの監視（例えば、ＰＤＣＣＨ監視）を遂行する。一実施形態では、ＵＥは、オンデュレーションタイマーがまだアクティブであっても、第２のＲＡＴプロセスが完了したとき、第１のＲＡＴを単に監視するだけである。しかしながら、オンデュレーション及びインアクティビティの両タイマーが時間切れした場合には、監視は遂行されない。インアクティビティタイマーの完了時に、ＵＥは、スリープモードに入る（例えば、第１のＲＡＴ、第１無線、及び／又はＵＥの他の装置に関連して）。第２のＲＡＴがそのプロセスを完了しそしてインアクティビティタイマーが時間切れすると、ＵＥは、次のＣＤＲＸサイクルが始まるまでスリープモードに入る（例えば、第１のＲＡＴでは、例えば、第１のＲＡＴに関連したスタックがスリープモードに入る）。
【００８０】
同様に、ＵＥが、オンデュレーション又はインアクティビティタイマーの間に（例えば、第１のＲＡＴが第１無線を使用する間に）第１のＲＡＴから第２のＲＡＴへチューンアウェイする場合には、第１無線が第２のＲＡＴに関連したアクティビティに使用されていても、タイマーは、通常に動作を続ける。インアクティビティタイマーが時間切れした場合には、ＵＥは、次のＣＤＲＸサイクルが始まるまで第１のＲＡＴに対するスリープモードに入る。
【００８１】
一実施形態では、第２のＲＡＴのアクティビティがどれほど長くても、第１のＲＡＴは、タイマーを通常に動作する。実際に、第２のＲＡＴのアクティビティは、第２のＲＡＴに対する第１無線の使用のために第１のＲＡＴの通信及び／又は監視が行われなくても、第１のＲＡＴのタイマーに影響しない。例えば、無線を使用して第２のＲＡＴのアクティビティを遂行する間に、複数のＣＤＲＸサイクルが生じる。
【００８２】
第１及び第２のＲＡＴに対するＤＲＸ衝突の回避
上述したように、ＵＥは、単一無線（例えば、単一送信チェーン及び単一受信チェーン又は２つの受信チェーンを有する）を使用し、２つの異なるＲＡＴを使用して通信を行う。例えば、ＵＥは、単一無線を使用し、第１のＲＡＴを使用して通信を行い、そして周期的に、例えば、第２のＲＡＴの各ＤＲＸサイクルに、チューンアウェイを行って、ページデコーディング、測定、同期、等の、第２のＲＡＴに対する種々のアクションを遂行する。無線は、ＵＥに対する単一のセルラー無線でもよいし、又は複数のセルラー無線の１つでもよいことに注意されたい。複数無線の実施形態では、第１のＲＡＴ及び第２のＲＡＴの時分割のためにセルラー無線の１つが使用される。一実施形態では、第１のＲＡＴは、ＬＴＥであり、そして第２のＲＡＴは、ＧＳＭであるが、ＲＡＴの他の組み合わせも考えられる。更に、ＵＥは、必要に応じて、デュアルＳＩＭデュアルアクティブ（ＤＳＤＡ）及び／又はデュアルＳＩＭデュアルスタンバイ（ＤＳＤＳ）を実施する。
【００８３】
以下、第１のＲＡＴは、ＬＴＥとして説明し、第２のＲＡＴは、ＧＳＭとして説明するが、それらの説明は、いずれも、必要に応じてＲＡＴの他の組み合わせにも適用できる。ＬＴＥ  ＤＲＸサイクルは、ほぼ１．２８秒である。更に、ＧＳＭ  ＤＲＸサイクルは、４７０ミリ秒ごとに発生する。その結果、２つのサイクルは、しばしば衝突し得る。例えば、両サイクルの開始が重畳するとき、ＬＴＥ及びＧＳＭに対する通信（例えば、ページデコーディングのための）を行うために衝突が生じ得る。
【００８４】
ＧＳＭに対して無線が使用されるときにＬＴＥ  ＤＲＸサイクルが生じるか又は間もなく（例えば、１０ミリ秒以内に）生じるような状態を取り扱う１つの方法は、無線が使用中であるか又はＧＳＭに対して間もなく使用されることを決定し、そしてＬＴＥ  ＤＲＸ現在サイクルを単にスキップすることである。しかしながら、この解決策は、余計な電力消費を招く。例えば、ＬＴＥ通信に関連した回路がパワーオンされなくても、現在ＬＴＥサイクルをスキップする決定をなすために他のハードウェアに電力を供給することが必要である。
【００８５】
例えば、ＰＯＷＥＲ  ＩＣがパワーオンされ、及び／又はＬＴＥソフトウェアを実行するプロセッサがパワーオンされる。その結果、ＧＳＭ  ＤＲＸサイクルとの衝突を検出したために現在ＬＴＥ  ＤＲＸサイクルがスキップされて、スリープ（例えば、ＬＴＥに対する）へ復帰するときに、ＬＴＥソフトウェアを実行するＣＰＵは、アイドル状態へ復帰し、これは、ＰＯＷＥＲ  ＩＣをトリガーして、ある程度の時間遅延（例えば、約１０ｍｓ）でスリープに戻る。
【００８６】
この余計な電力は、ＬＴＥ及び１ｘ  ＳＲＬＴＥ実施形態では著しい問題にならないが、ＬＴＥ及びＧＳＭ  ＳＲＬＴＥ実施形態に対するその余計な電力消費は、より顕著なもので、例えば、５−６％の余計な電力消費を生じる。より詳細には、ＳＲＬＴＥでのＧＳＭアイドルモードの電力消費は、ＧＳＭのみのアイドルモードの電力消費より８％高い。というのは、例えば、ＳＲＬＴＥモードでのＧＳＭは、ＧＳＭのみのアイドルモードに比して、ウェイクアップ時間に高周波回路を初期化するのに２つの余計なＧＳＭフレームを要するからである。というのは、ＳＲＬＴＥでのＧＳＭは、高周波回路がＬＴＥにより使用されており、従って、高周波回路をＧＳＭモードで再初期化しなければならないと仮定するからである。
【００８７】
従って、以下の実施形態は、種々の電力消費問題に対処する。
【００８８】
例えば、現在ＬＴＥサイクルにおいてスリープに入る前に、ＬＴＥスタックは、ＧＳＭスタックに、次にスケジュールされるべきウェイクアップ時間、及び推定ウェイクアップ期間について問合せする。この情報を使用して、次のＬＴＥウェイクアップ時間（例えば、ＬＴＥ  ＤＲＸサイクルの）及びＧＳＭウェイクアップ時間（例えば、ＧＳＭ  ＤＲＸサイクルの）が比較される。衝突の発生が推定される場合には、次のＬＴＥウェイクアップがスキップされ、そしてウェイクアップが、次のＬＴＥ  ＤＲＸサイクル又は次のページ発生ではなく、第２の次のＬＴＥ  ＤＲＸサイクル（例えば、第２の次のページ発生）にスケジュールされる。
【００８９】
別の例として、ＬＴＥがスリープに入り、そしてその後、ＧＳＭがスリープに入る場合には、ＧＳＭスタックは、ＬＴＥスタックに、その次のウェイクアップ時間及び推定ウェイクアップ期間を通知する。次いで、ＬＴＥスタックは、ＧＳＭの次のウェイクアップ時間をそれ自身のウェイクアップ時間と比較し、そして衝突の発生が推定される場合には、ＬＴＥスタックは、そのウェイクアップ時間を、次のページ発生ではなく、第２の次のページ発生へと変更する。
【００９０】
更に、一実施形態では、ＬＴＥスタックがスリープに入る前に、ＬＴＥスタックは、高周波チェーン（例えば、無線の回路）がＬＴＥスタックにより解除されたこともＧＳＭに通知する。その結果、ＧＳＭスタックは、高周波チェーンを最初に初期化するために（例えば、２つの付加的なＧＳＭフレームだけ）次のサイクルの前にウェイクアップする必要があるかどうか決定する。典型的なケースでは、ＧＳＭは、ＬＴＥより２．７倍頻繁にウェイクアップするので（例えば、ＬＴＥ  ＤＲＸサイクルが１．２８ｓで、ＧＳＭ  ＤＲＸサイクルが４７０ｍｓである場合）、ＧＳＭは、ＧＳＭ  ＤＲＸサイクルごとではなくて、ＬＴＥ  ＤＲＸサイクルごとに一度だけ、早期にウェイクアップすればよい。
【００９１】
１つ以上の上述した手順の結果として、電力消費が著しく減少される。
【００９２】
図７：第１及び第２のＲＡＴに対するＤＲＸ衝突の回避
図７は、第１及び第２のＲＡＴに対するＤＲＸ衝突を回避する方法を示すフローチャートである。図７の方法は、第１のＲＡＴ及び第２のＲＡＴ（例えば、ＬＴＥ及びＧＳＭであるが、ＲＡＴの他の組み合わせも考えられる）の両方に対して第１無線を使用するＵＥ装置（例えば、ＵＥ１０６）によって遂行される。図７に示す方法は、他の装置の中でも、添付図面に示すシステム又は装置のいずれかに関連して使用される。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【００９３】
７０２において、ＵＥは、第１のＲＡＴのスケジュールされた次のページデコーディング（例えば、ＤＲＸサイクル内の）が第２のＲＡＴのページデコーディングと衝突することを決定する。７０２の決定は、現在ＤＲＸサイクル、例えば、現在ページデコーディング中又はその付近であるが、第１のＲＡＴに関連したスリープ期間の前に行われる。ページデコーディング（又はより一般的には、第１のＲＡＴ及び第２のＲＡＴのＤＲＸサイクル）の衝突があると決定すると、ＵＥは、衝突を回避するために第１のＲＡＴの次のページデコーディングをスキップする。或いは又、ＵＥは、必要に応じて、第２のＲＡＴの次のページデコーディングをスキップしてもよい。
【００９４】
７０４において、ＵＥは、７０２で決定された次のページデコーディングの時間に第２のＲＡＴに対するページデコーディングを遂行する。更に、第１のＲＡＴ及び第２のＲＡＴのページデコーディングの間に衝突がある場合には、ＵＥは、第１のＲＡＴのページデコーディングを遂行しない。しかしながら、ページデコーディングの衝突がない場合には、ＵＥは、第１のＲＡＴに対するページデコーディングも遂行する。
【００９５】
７０６において、ＵＥは、７０２から検出されたページデコーディング衝突があるときには、次に続くページデコーディングにおいて第１のＲＡＴに対するページデコーディングを遂行する。
【００９６】
図７は、次のページデコーディングに関して説明したが、それは、一般的に、ＤＲＸサイクルに適用される。例えば、７０２は、第１のＲＡＴのスケジュールされた次のＤＲＸサイクルが第２のＲＡＴのＤＲＸサイクルと衝突することを決定する。同様に、７０４は、７０２で決定されたＤＲＸサイクルの時間に第２のＲＡＴのＤＲＸサイクルに関連した動作を遂行する。最終的に、７０６において、ＵＥは、７０４の時間の後に、第１のＲＡＴのＤＲＸに関連した動作を遂行する。
【００９７】
図８：規範的なタイミング図
図８は、図７の方法の一実施形態に対応する規範的なタイミング図である。特に、予想を伴わない第１のケースが８００で示されており、そして予想を伴う第２のケース（例えば、図７の方法による）が８５０で示されている。図示された例では、第１のＲＡＴは、ＬＴＥであり、そして第２のＲＡＴは、ＧＳＭであるが、他のＲＡＴも考えられる。
【００９８】
８００において、ＬＴＥのページデコーディングが第１のＤＲＸサイクルに行われる。ＬＴＥの第２のページデコーディングにおいて、ＵＥは、ＬＴＥとＧＳＭとの（例えば、それらのＤＲＸサイクル）間に衝突があることを決定し、従って、ＬＴＥをスリープ状態に戻す。しかしながら、８００の決定をなすには種々の回路及び／又はプロセッサをパワーオンしなければならないので、この第２のＤＲＸサイクルでは、ＬＴＥのページデコーディングが行われなくても、著しい電力消費が生じる。最終的に、第３のページＤＲＸサイクルにおいて、ＬＴＥのページデコーディングが通常に遂行される。
【００９９】
対照的に、８５０において、将来の衝突の予想以外は同じ状態が示されている。このケースに示すように、衝突がその発生の前に予想されたので、ＬＴＥに対する第２のＤＲＸサイクルに関連した電力消費は生じない。その結果、第２のＤＲＸサイクル中に第１のＲＡＴに関連した種々のハードウェアをパワーアップする必要はない。
【０１００】
図９：ＤＲＸ予想に基づく電力消費の減少
図９は、第１及び第２のＲＡＴに対するＤＲＸ予想に基づき電力消費を減少する方法を示すフローチャートである。図９の方法は、第１のＲＡＴ及び第２のＲＡＴ（例えば、ＬＴＥ及びＧＳＭであるが、ＲＡＴの他の組み合わせも考えられる）の両方に対して第１無線を使用するＵＥ装置（例えば、ＵＥ１０６）によって遂行される。図９に示す方法は、他の装置の中でも、添付図面に示すシステム又は装置のいずれかに関連して使用される。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【０１０１】
９０２において、ＵＥは、第１無線を、第１のＲＡＴに関連した構成（例えば、第１のＲＡＴを使用して通信又は監視を行うための）から、第２のＲＡＴの将来のページデコーディングのために第２のＲＡＴに関連した構成（例えば、第２のＲＡＴを使用して通信又は監視を行うための）へ再初期化すべきかどうか決定する。例えば、ＵＥは、第１のＲＡＴに対するＤＲＸサイクルより頻繁な第２のＲＡＴに対するＤＲＸサイクルに従って動作する。その結果、第１無線（例えば、第１無線の送信及び／又は受信チェーン）は、第２のＲＡＴに対して再初期化される必要がない。というのは、第１無線は、第１のＲＡＴではなく第２のＲＡＴに対して既に使用されているからである。一例として、図８の部分８００を参照すれば、第１無線は、ＬＴＥが丁度使用されたＤＲＸサイクルに対して再初期化されるだけであるが、ＧＳＭに対して無線が以前に使用されたケースでは、再初期化が必要でない。例えば、８００では、再初期化は、ＧＳＭの第１及び第４のＤＲＸサイクルについてのみ要求される。別の例として、８５０では、再初期化は、ＧＳＭの第１のＤＲＸサイクルについてのみ要求される。
【０１０２】
９０４において、第１無線を再初期化すべきことが９０２で決定された場合には、第２のＲＡＴのページデコーディングの前に無線が再初期化される。例えば、１つの実施形態では、無線は、例えば、第２のＲＡＴの１つ以上のフレームにより再初期化される（例えば、ＲＡＴがＧＳＭである場合に、無線は、ＧＳＭに対するＤＲＸサイクルより２ＧＳＭフレーム前に再初期化される）。
【０１０３】
９０６において、再初期化の後、ＵＥは、第１無線を使用し、第２のＲＡＴを使用して通信を遂行して、第２のＲＡＴに対するページデコーディングを遂行する。
【０１０４】
図９は、次のページデコーディングに関して説明したが、それは、一般的に、ＤＲＸサイクルに適用される。例えば、９０２は、第１無線を、第１のＲＡＴに関連した構成から、第２のＲＡＴの将来のＤＲＸサイクルのために第２のＲＡＴに関連した構成へ再初期化すべきかどうか決定する。同様に、９０４では、第１無線を再初期化すべきことが９０２で決定された場合には、それが第２のＲＡＴのＤＲＸサイクルの前に行われる。最終的に、再初期化の後に、ＵＥは、第１無線を使用して、第２のＲＡＴのＤＲＸサイクルに関連した動作を遂行する（例えば、他の可能性の中で、ページデコーディングのために）。
【０１０５】
規範的な実施形態
以下の番号付きの段落は、本開示の規範的な実施形態を示す。
【０１０６】
１．第１無線を備え、該第１無線が第１の無線アクセス技術（ＲＡＴ）及び第２のＲＡＴに基づき動作するように構成可能であるユーザ装置（ＵＥ）において、第１のＲＡＴの接続不連続受信（ＣＤＲＸ）モードで動作し、該ＣＤＲＸモードは、オンデュレーションタイマー及びインアクティビティタイマーを含むものであり；ＵＥの第１無線がＣＤＲＸモードの間に第１のＲＡＴではなく第２のＲＡＴに使用されることを決定し；ＵＥの第１無線が第２のＲＡＴに使用される間に第１のＲＡＴのＣＤＲＸオンデュレーションタイマー又はインアクティビティタイマーの少なくとも１つを動作する；ことを含み、ＵＥの第１無線が第２のＲＡＴに使用される間には、第１無線により第１のＲＡＴにおいて通信も監視も遂行されなくても、ＣＤＲＸオンデュレーションタイマー又はインアクティビティタイマーの少なくとも一方が動作するようにする方法。
【０１０７】
２．前記決定は、ＵＥの第１無線が第２のＲＡＴにおけるチューンアウェイ動作に使用されることを決定することを含む、段落１に記載の方法。
【０１０８】
３．前記チューンアウェイ動作は、第２のＲＡＴに対するページデコーディングを遂行することを含む、段落２に記載の方法。
【０１０９】
４．第１のＲＡＴのＣＤＲＸオンデュレーションタイマー及びインアクティビティタイマーの各々は、第２のＲＡＴのチューンアウェイ動作の間に動作する、段落１−３のいずれかに記載の方法。
【０１１０】
５．第１のＲＡＴに対するＣＤＲＸモードの複数のサイクルが第２のＲＡＴのチューンアウェイ動作中に遂行され、ＵＥの第１無線が第２のＲＡＴのチューンアウェイ動作に使用される間に、第１無線により第１のＲＡＴにおいて通信も監視も遂行されなくても、第１のＲＡＴに対するＣＤＲＸモードの複数のサイクルが遂行される、段落１−４のいずれかに記載の方法。
【０１１１】
６．前記オンデュレーションタイマーの時間切れに応答して第１のＲＡＴに関連したインアクティビティタイマーをスタートすることを更に含み、前記インアクティビティタイマーのスタートは、第１無線が第２のＲＡＴに使用される間に遂行される、段落１−５のいずれかに記載の方法。
【０１１２】
７．ＵＥは、セルラー通信を遂行するための単一無線を備え、前記第１無線は、単一無線である、段落１−６のいずれかに記載の方法。
【０１１３】
８．前記第１のＲＡＴは、ロング・ターム・エボリューション（ＬＴＥ）を含む、段落１−７のいずれかに記載の方法。
【０１１４】
９．前記第２のＲＡＴは、グローバルシステム・フォア・モバイルコミュニケーションズ（ＧＳＭ）を含む、段落１−８のいずれかに記載の方法。
【０１１５】
１０．ＵＥは、ＳＩＭ（加入者アイデンティティモジュール）機能を各々実施する２つのスマートカードを含み、ＵＥは、ＤＳＤＡ（デュアルＳＩＭデュアルアクティブ）機能を実施する、段落１−９のいずれかに記載の方法。
【０１１６】
１１．第１の無線アクセス技術（ＲＡＴ）及び第２のＲＡＴを使用して通信を行い且つ第１のＲＡＴ及び第２のＲＡＴの両方への接続を維持するように構成された第１無線と；該第１無線に結合された１つ以上のプロセッサと；を備え、該１つ以上のプロセッサ及び第１無線は、第１のＲＡＴの接続不連続受信（ＣＤＲＸ）モードのオン期間中に第１のＲＡＴに基づいて動作を開始し；第１無線が第２のＲＡＴのチューンアウェイ動作に使用されることを決定し；第１のＲＡＴのＣＤＲＸオンデュレーションタイマーをスタートし、該ＣＤＲＡオンデュレーションタイマーは、第１のＲＡＴにおいて監視が行われなくてもスタートされ；ＣＤＲＸオンデュレーションタイマーの時間切れに応答してＣＤＲＸインアクティビティタイマーをスタートし、第１のＲＡＴのＣＤＲＸオンデュレーションタイマー及びインアクティビティタイマーの各々は、第１無線が第２のＲＡＴのチューンアウェイ動作に使用される間に動作する；ように構成されたユーザ装置（ＵＥ）。
【０１１７】
１２．前記チューンアウェイ動作は、第２のＲＡＴに対するページデコーディングを遂行することを含む、段落１１に記載のＵＥ。
【０１１８】
１３．第２のＲＡＴのチューンアウェイ動作中に第１のＲＡＴに対するＣＤＲＸモードの複数のサイクルが遂行され、第２のＲＡＴのチューンアウェイ動作に第１無線が使用される間に第１のＲＡＴの複数のオンデュレーションタイマー及びインアクティビティタイマーが動作される、段落１１−１２のいずれかに記載のＵＥ。
【０１１９】
１４．ＵＥは、セルラー通信を行うための単一無線を備え、前記第１無線は、単一無線である、段落１１−１３のいずれかに記載のＵＥ。
【０１２０】
１５．第１のＲＡＴは、ロング・ターム・エボリューション（ＬＴＥ）を含み、第２のＲＡＴは、グローバルシステム・フォア・モバイルコミュニケーションズ（ＧＳＭ）を含む、段落１１−１４のいずれかに記載のＵＥ。
【０１２１】
１６．ＵＥは、ＳＩＭ（加入者アイデンティティモジュール）機能を各々実施するように構成された２つのスマートカードを含み、ＵＥは、第１無線を使用してＤＳＤＡ（デュアルＳＩＭデュアルアクティブ）機能を実施するように構成された、段落１１−１５のいずれかに記載のＵＥ。
【０１２２】
１７．ユーザ装置（ＵＥ）により実行するためのプログラムインストラクションを記憶する非一時的なコンピュータアクセス可能なメモリ媒体において、ＵＥは、第１の無線アクセス技術（ＲＡＴ）及び第２のＲＡＴを使用して通信するための単一無線を備え、前記プログラムインストラクションは、第１のＲＡＴの接続不連続受信（ＣＤＲＸ）モードのオン期間中に第１のＲＡＴに基づいて動作を開始し；第１無線が第２のＲＡＴのチューンアウェイ動作に使用されることを決定し；第１のＲＡＴのＣＤＲＸオンデュレーションタイマーをスタートし、該ＣＤＲＡオンデュレーションタイマーは、第１のＲＡＴにおいて監視が行われなくてもスタートされる；ようにプロセッサにより実行される、非一時的なコンピュータアクセス可能なメモリ媒体。
【０１２３】
１８．プログラムインストラクションは、更に、ＣＤＲＸオンデュレーションタイマーの時間切れに応答してＣＤＲＸインアクティビティタイマーをスタートし、第１のＲＡＴのＣＤＲＸオンデュレーションタイマー及びインアクティビティタイマーの各々は、第１無線が第２のＲＡＴのチューンアウェイ動作に使用される間に動作する；ように実行される、段落１７に記載の非一時的なコンピュータアクセス可能なメモリ媒体。
【０１２４】
１９．第２のＲＡＴのチューンアウェイ動作中に第１のＲＡＴに対するＣＤＲＸモードの複数のサイクルが遂行され、第２のＲＡＴのチューンアウェイ動作に第１無線が使用される間に第１のＲＡＴの複数のオンデュレーションタイマー及びインアクティビティタイマーが動作される、段落１８に記載の非一時的なコンピュータアクセス可能なメモリ媒体。
【０１２５】
２０．ＵＥは、セルラー通信を遂行するための単一無線を備え、そして前記第１無線は、単一無線である、段落１８−１９のいずれかに記載の非一時的なコンピュータアクセス可能なメモリ媒体。
【０１２６】
２１．第１無線を備え、該第１無線が第１の無線アクセス技術（ＲＡＴ）及び第２のＲＡＴに基づき動作するように構成可能であるユーザ装置（ＵＥ）において、第１のＲＡＴに関連したスリープ時間の前に、第１のＲＡＴのスケジュールされた次のページデコーディングが初めて第２のＲＡＴのページデコーディングと衝突するかどうか決定し；初めて第２のＲＡＴのページデコーディングを遂行し；第１のＲＡＴの次のページデコーディングが第２のＲＡＴのページデコーディングと衝突する場合は、第１のＲＡＴの次のページデコーディングを、初めてのときは遂行せず；そして初めてのとき以降の、その後のときに、第１のＲＡＴのページデコーディングを遂行する；ように構成される、方法。
【０１２７】
２２．前記決定は、第１のＲＡＴの次のページデコーディングの前に第１のＲＡＴのページデコーディングにおいて遂行される、段落２１に記載の方法。
【０１２８】
２３．前記決定は、ウェイクアップ時間と、第１のＲＡＴに関連した不連続受信（ＤＲＸ）サイクル及び第２のＲＡＴに関連したＤＲＸサイクルの期間を比較することを含む、段落２１−２２のいずれかに記載の方法。
【０１２９】
２４．第１のＲＡＴの次のページデコーディングは、第１のＲＡＴに関連した不連続受信（ＤＲＸ）サイクル内に含まれ、第２のＲＡＴのページデコーディングは、第２のＲＡＴに関連したＤＲＸサイクル内に含まれ、前記決定は、第１のＲＡＴ及び第２のＲＡＴのＤＲＸサイクルの時間を比較することを含む、段落２１−２３のいずれかに記載の方法。
【０１３０】
２５．前記決定は、第１のＲＡＴに関連したソフトウェアスタックにより遂行される、段落２１−２４のいずれかに記載の方法。
【０１３１】
２６．前記決定は、第１のＲＡＴに関連したソフトウェアスタックが第２のＲＡＴに関連したソフトウェアスタックと通信して、第２のＲＡＴのページデコーディングの時間を決定することを含む、段落２５に記載の方法。
【０１３２】
２７．ＵＥは、セルラー通信を遂行するための単一無線を備え、そして前記第１無線は、単一無線である、段落２１−２６のいずれかに記載の方法。
【０１３３】
２８．第１のＲＡＴは、ロング・ターム・エボリューション（ＬＴＥ）を含む、段落２１−２７のいずれかに記載の方法。
【０１３４】
２９．第２のＲＡＴは、グローバルシステム・フォア・モバイルコミュニケーションズ（ＧＳＭ）を含む、段落２１−２８のいずれかに記載の方法。
【０１３５】
３０．ＵＥは、ＳＩＭ（加入者アイデンティティモジュール）機能を各々実施する２つのスマートカードを含み、ＵＥは、ＤＳＤＡ（デュアルＳＩＭデュアルアクティブ）機能を実施する、段落２１−２９のいずれかに記載の方法。
【０１３６】
３１．第１の無線アクセス技術（ＲＡＴ）及び第２のＲＡＴを使用して通信を行い且つ第１のＲＡＴ及び第２のＲＡＴの両方への接続を維持するように構成された第１無線と；該第１無線に結合された１つ以上のプロセッサと；を備え、該１つ以上のプロセッサ及び第１無線は、第１無線を第２のＲＡＴに対して初めて再初期化すべきかどうかを、初めてのときより前に第１のＲＡＴにより第１無線が使用されることに基づいて決定し；該決定に基づいて第２のＲＡＴに対して第１無線を再初期化すべき場合には、初めてのときより前に単一無線を再初期化し、前記決定に基づいて第１無線を再初期化すべきでない場合には、第１無線を再初期化せず；そして初めてのときに第２のＲＡＴを使用して通信を遂行する；ように構成されたユーザ装置（ＵＥ）。
【０１３７】
３２．単一無線の前記再初期化は、初めてのときより２フレーム前に実施される、段落３１に記載のＵＥ。
【０１３８】
３３．前記決定は、第１無線が初めてのときより前に第１のＲＡＴにより使用された後に第２のＲＡＴにより使用されるかどうか決定することを含み、第１無線が初めてのときより前に第１のＲＡＴにより使用された後に第２のＲＡＴにより使用される場合には、無線を再初期化すべきではない、段落３１−３２のいずれかに記載のＵＥ。
【０１３９】
３４．第２のＲＡＴに対して第１無線を再初期化すべきかどうかの決定は、第２のＲＡＴに関連したソフトウェアにより遂行される、段落３１−３３のいずれかに記載のＵＥ。
【０１４０】
３５．第２のＲＡＴに対して第１無線を再初期化すべきかどうかの決定は、第１のＲＡＴに関連した次の不連続受信（ＤＲＸ）サイクルの時間を決定することを含む、段落３１−３４のいずれかに記載のＵＥ。
【０１４１】
３６．ＵＥは、ＳＩＭ（加入者アイデンティティモジュール）機能を各々実施するように構成された２つのスマートカードを含み、ＵＥは、第１無線を使用してＤＳＤＡ（デュアルＳＩＭデュアルアクティブ）機能を実施するように構成された、段落３１−３５のいずれかに記載のＵＥ。
【０１４２】
３７．ユーザ装置（ＵＥ）により実行するためのプログラムインストラクションを記憶する非一時的なコンピュータアクセス可能なメモリ媒体において、ＵＥは、第１の無線アクセス技術（ＲＡＴ）及び第２のＲＡＴを使用して通信するための単一無線を備え、前記プログラムインストラクションは、第１のＲＡＴに関連したスリープ時間の前に第１のＲＡＴのスケジュールされた次の不連続受信（ＤＲＸ）サイクルが初めて第２のＲＡＴのＤＲＸサイクルに衝突するかどうか決定し；第２のＲＡＴのＤＲＸに関連した動作を初めて遂行し、第１のＲＡＴの次のＤＲＸサイクルが第２のＲＡＴのＤＲＸサイクルに衝突する場合には、第１のＲＡＴの次のＤＲＸサイクルを、初めてのときは遂行せず；そして初めてのとき以降の、その後のときに、第１のＲＡＴのＤＲＸサイクルに関連した動作を遂行する；ようにプロセッサにより実行される、非一時的なコンピュータアクセス可能なメモリ媒体。
【０１４３】
３８．前記決定は、第１のＲＡＴの次のＤＲＸサイクルの前に第１のＲＡＴのＤＲＸサイクルにおいて遂行される、段落３７に記載の非一時的なコンピュータアクセス可能なメモリ媒体。
【０１４４】
３９．前記決定は、ウェイクアップ時間と、第１のＲＡＴに関連したＤＲＸサイクル及び第２のＲＡＴに関連したＤＲＸサイクルの期間を比較することを含む、段落３７−３８のいずれかに記載の非一時的なコンピュータアクセス可能なメモリ媒体。
【０１４５】
４０．前記決定は、第１のＲＡＴに関連したソフトウェアスタックにより遂行される、段落３７−３９のいずれかに記載の非一時的なコンピュータアクセス可能なメモリ媒体。
【０１４６】
５１．単一無線を備えたＵＥ装置を動作する方法において、ＵＥが第１の無線アクセス技術（ＲＡＴ）の接続不連続受信（ＣＤＲＸ）モードで動作を開始し、該ＣＤＲＸモードは、オンデュレーションタイマー及びインアクティビティタイマーを含み；ＣＤＲＸモード中にＵＥの単一無線が第２のＲＡＴに使用されることを決定し；ＵＥの単一無線が第２のＲＡＴに使用される間に第１のＲＡＴのＣＤＲＸオンデュレーションタイマー又はインアクティビティタイマーの少なくとも一方を動作し、ＵＥの単一無線が第２のＲＡＴに使用される間に、第１のＲＡＴにおいて通信も監視も遂行されなくても、ＣＤＲＸオンデュレーションタイマー又はインアクティビティタイマーの少なくとも一方を動作する；ことを含む、方法。
【０１４７】
５２．前記決定は、ＵＥの単一無線が第２のＲＡＴにおいてチューンアウェイ動作に使用されることを決定することを含む、段落５１に記載の方法。
【０１４８】
５３．第１のＲＡＴのＣＤＲＸオンデュレーションタイマー及びインアクティビティタイマーの各々は、第２のＲＡＴのチューンアウェイ動作中に動作する、段落５１−５２のいずれかに記載の方法。
【０１４９】
５４．ＣＤＲＸオンデュレーションタイマーの時間切れに応答してＣＤＲＸインアクティビティタイマーをスタートさせることを更に含む、段落５１−５３のいずれかに記載の方法。
【０１５０】
５５．ＵＥ装置を動作する方法において、ＵＥが第１のＲＡＴの接続不連続受信（ＣＤＲＸ）モードのオン期間中に第１の無線アクセス技術（ＲＡＴ）に基づいて動作を開始し；ＵＥの単一無線が第２のＲＡＴに使用されることを決定し；第１のＲＡＴのＣＤＲＸオンデュレーションタイマーをスタートし、ＣＤＲＸオンデュレーションタイマーは、第１のＲＡＴにおいて監視が行われなくてもスタートされ；ＣＤＲＸオンデュレーションタイマーの時間切れに応答してＣＤＲＸインアクティビティタイマーをスタートし；第１のＲＡＴのＣＤＲＸオンデュレーションタイマー及びインアクティビティタイマーの各々は、第２のＲＡＴのチューンアウェイ動作中に動作する；ことを含む方法。
【０１５１】
５６．第１の無線アクセス技術（ＲＡＴ）及び第２のＲＡＴを使用して通信するように構成された無線を備えたユーザ装置（ＵＥ）を動作する方法において、ＵＥにより、第１のＲＡＴに関連したスリープ時間の前に、第１のＲＡＴのスケジュールされた次のページデコーディングが初めて第２のＲＡＴのページデコーディングと衝突するかどうか決定し；初めて第２のＲＡＴのページデコーディングを遂行し；第１のＲＡＴの次のページデコーディングが第２のＲＡＴのページデコーディングと衝突する場合は、第１のＲＡＴの次のページデコーディングを、初めてのときは遂行せず；そして初めてのとき以降の、その後のときに、第１のＲＡＴのページデコーディングを遂行する；ことを含む方法。
【０１５２】
５７．前記決定は、第１のＲＡＴの次のページデコーディングの前に第１のＲＡＴのページデコーディングにおいて遂行される、段落５６に記載の方法。
【０１５３】
５８．第１のＲＡＴは、ロング・ターム・エボリューション（ＬＴＥ）を含む、段落５６−５７のいずれかに記載の方法。
【０１５４】
５９．第２のＲＡＴは、ＧＳＭを含む、段落５１−５８のいずれかに記載の方法。
【０１５５】
６０．第１の無線アクセス技術（ＲＡＴ）及び第２のＲＡＴを使用して通信するように構成された単一無線を備えたユーザ装置（ＵＥ）を動作する方法において、ＵＥにより、単一無線を第２のＲＡＴに対して初めて再初期化すべきかどうかを、初めてのときより前に第１のＲＡＴにより単一無線が使用されることに基づいて決定し；単一無線を第２のＲＡＴに対して再初期化すべき場合には、初めてのときより前に単一無線を再初期化し；そして初めてのときに第２のＲＡＴを使用して通信を遂行する；ことを含む方法。
【０１５６】
６１．単一無線の前記再初期化は、初めてのときより２フレーム前に遂行される、段落５０に記載の方法。
【０１５７】
６２．ＵＥは、ＳＩＭ（加入者アイデンティティモジュール）機能を各々実施する２つのスマートカードを含み、ＵＥは、ＤＳＤＡ（デュアルＳＩＭデュアルアクティブ）機能を実施する、前記段落のいずれかに記載の方法。
【０１５８】
６３．詳細な説明に実質的に述べられたアクション又はアクションの組み合わせを含む方法。
【０１５９】
６４．図１から図９の各々又はその組み合わせを参照するか、或いは詳細な説明における段落の各々又はその組み合わせを参照して実質的に述べた方法。
【０１６０】
６５．詳細な説明に実質的に述べたアクション又はアクションの組み合わせを遂行するように構成されたワイヤレス装置。
【０１６１】
６６．ワイヤレス装置に含まれるものとして詳細な説明に述べたコンポーネント又はコンポーネントの組み合わせを含むワイヤレス装置。
【０１６２】
６７．実行時に、詳細な説明に実質的に述べたアクション又はアクションの組み合わせを遂行させるインストラクションを記憶する不揮発性コンピュータ読み取り可能な媒体。
【０１６３】
６８．詳細な説明に実質的に述べたアクション又はアクションの組み合わせを遂行するように構成された集積回路。
【０１６４】
本発明の実施形態は、種々の形態のいずれかで実現することができる。例えば、ある実施形態では、本発明は、コンピュータ実施方法、コンピュータ読み取り可能なメモリ媒体又はコンピュータシステムとして実現される。他の実施形態では、本発明は、ＡＳＩＣのような１つ以上のカスタム設計のハードウェア装置を使用して実現される。又、他の実施形態では、本発明は、ＦＰＧＡのような１つ以上のプログラム可能なハードウェア要素を使用して実現される。
【０１６５】
ある実施形態では、非一時的なコンピュータ読み取り可能なメモリ媒体は、プログラムインストラクション及び／又はデータを記憶するように構成され、プログラムインストラクションは、コンピュータシステムにより実行された場合に、コンピュータシステムが、方法、例えば、ここに述べる方法実施形態のいずれか、又はここに述べる方法実施形態の任意の組み合わせ、或いはここに述べる方法実施形態のいずれかのサブセット、又はそのようなサブセットの任意の組み合わせ遂行するようにさせる。
【０１６６】
ある実施形態では、装置（例えば、ＵＥ）は、プロセッサ（又はプロセッサのセット）及びメモリ媒体を含むように構成され、メモリ媒体は、プログラムインストラクションを記憶し、プロセッサは、メモリ媒体からプログラムインストラクションを読み取って実行するように構成され、プログラムインストラクションは、ここに述べる種々の方法実施形態のいずれか（又はここに述べる方法実施形態の任意の組み合わせ、或いはここに述べる方法実施形態のいずれかのサブセット、又はそのようなサブセットの組み合わせ）を実施するように実行される。装置は、種々の形態のいずれかで実施される。
【０１６７】
以上、本発明の実施形態を非常に詳細に説明したが、当業者であれば、前記開示が充分に理解されれば、多数の変更や修正が明らかとなろう。特許請求の範囲は、そのような全ての変更や修正を包含すると解釈される。
【符号の説明】
【０１６８】
１２：ハウジング
１４：ディスプレイ
１６：ホームボタン
１８：スピーカボタン
２８：ストレージ及び処理回路
４０：アンテナ
４２：コントロール回路
５７：第１無線
５８：ベースバンドプロセッサ
５９：トランシーバ（ＴＸ）チェーン
６０：高周波トランシーバ回路
６１、６３：受信器（ＲＸ）チェーン
６２：高周波フロントエンド
６３：第２無線
７２：ＧＳＭロジック
７４：ＬＴＥロジック
１００：コアネットワーク
１０２：ベースステーション
１０６：ユーザ装置（ＵＥ）
１０８：外部ネットワーク
３１０：ＵＩＣＣカード
４００：システムオンチップ（ＳＯＣ）
４０２：プロセッサ
４０４：ディスプレイ回路
４０６：メモリ
４１０：ＮＡＮＤフラッシュ
４２０：コネクタインターフェイス
４２９：ショートレンジワイヤレス通信回路
４３０：セルラー通信回路
４３５、４３６：アンテナ
４４０：メモリマネージメントユニット（ＭＭＵ）
４５０：リードオンリメモリ（ＲＯＭ）
４６０：ディスプレイ
５０４：プロセッサ
５３０：無線
５３２：通信チェーン
５３４：アンテナ
５５０：ＲＯＭ
５６０：メモリ
５７０：ネットワークポート
【図１】
2015171147.tif 000003
【図２】
2015171147.tif 000004
【図３】
2015171147.tif 000005
【図４】
2015171147.tif 000006
【図５Ａ】
2015171147.tif 000007
【図５Ｂ】
2015171147.tif 000008
【図６】
2015171147.tif 000009
【図７】
2015171147.tif 000010
【図８】
2015171147.tif 000011
【図９】
2015171147.tif 000012
【外国語明細書】
2015171147000001.pdf